(57)【要約】      （修正有）【課題】効率的に通信を行う端末装置、該端末装置に用いられる通信方法、効率的に通信を行う基地局装置、該基地局装置に用いられる通信方法を提供する。【解決手段】リソース割り当て情報フィールドは、周波数領域においてキャリアバンドパートに含まれるリソースブロックのうち、どのリソースブロックのセットにＰＤＳＣＨがマップされるかを示し、第１のＤＣＩフォーマットにおいて、リソース割り当て情報フィールドは、周波数領域においてＣＢＰ指示情報フィールドによって示されるキャリアバンドパートに含まれるリソースブロックのうち、ＰＤＳＣＨがマップされるリソースブロックのセットを示し、第２のＤＣＩフォーマットにおいて、リソース割り当て情報フィールドは、デフォルトキャリアバンドパートに含まれるリソースブロックのうち、ＰＤＳＣＨがマップされるリソースブロックのセットを示す。【選択図】図９
2019087799.tif 000002
【特許請求の範囲】
【請求項１】
リソース割り当て情報フィールドを少なくとも含むＤＣＩフォーマットを受信し、
前記リソース割り当て情報フィールドに基づきＰＤＳＣＨを受信する受信部を備え、
前記リソース割り当て情報フィールドは、周波数領域においてキャリアバンドパートに含まれるリソースブロックのうち、どのリソースブロックのセットに前記ＰＤＳＣＨがマップされるかを示し、
前記ＤＣＩフォーマットが、複数のキャリアバンドパートのうち、前記ＰＤＳＣＨがスケジューリングされるキャリアバンドパートを示すＣＢＰ指示情報フィールドを含む第１のＤＣＩフォーマットである場合、
前記リソース割り当て情報フィールドは、周波数領域において前記ＣＢＰ指示情報フィールドによって示される前記キャリアバンドパートに含まれるリソースブロックのうち、前記ＰＤＳＣＨがマップされるリソースブロックのセットを示し、
前記ＤＣＩフォーマットが、前記ＣＢＰ指示情報フィールドを含まない第２のＤＣＩフォーマットである場合、
前記リソース割り当て情報フィールドは、デフォルトキャリアバンドパートに含まれるリソースブロックのうち、前記ＰＤＳＣＨがマップされるリソースブロックのセットを示す端末装置。
【請求項２】
前記第１のＤＣＩフォーマットに含まれるフィールドの少なくとも一部は、第１の専用ＲＲＣシグナリングに少なくとも基づき設定され、
前記第２のＤＣＩフォーマットに含まれるフィールドは、前記第１の専用ＲＲＣシグナリングに関わらず設定される請求項１に記載の端末装置。
【請求項３】
前記デフォルトキャリアバンドパートの設定に関する情報を含む第２の専用ＲＲＣシグナリングを受信した場合、前記デフォルトキャリアバンドパートは前記第２の専用ＲＲＣシグナリングに基づき与えられ、
前記第２の専用ＲＲＣシグナリングを受信しない場合、初期活性化キャリアバンドパートが前記デフォルトキャリアバンドパートに設定され、
前記初期活性化キャリアバンドパートは、第１のシステム情報のスケジューリングに用いられるＰＤＣＣＨをモニタするために少なくとも用いられる請求項１に記載の端末装置。
【請求項４】
前記ＤＣＩフォーマットが前記第１のＤＣＩフォーマットである場合、前記リソース割り当て情報フィールドのサイズは、前記複数のキャリアバンドパートのそれぞれのために設定されるＲＢＧの数の最大値に対応し、
前記ＤＣＩフォーマットが前記第２のＤＣＩフォーマットである場合、前記リソース割り当て情報フィールドのサイズは、前記デフォルトキャリアバンドパートのために設定されるＲＢＧの数に対応する請求項１に記載の端末装置。
【請求項５】
リソース割り当て情報フィールドを少なくとも含むＤＣＩフォーマットと、
前記ＤＣＩフォーマットに対応するＰＤＳＣＨを送信する送信部を備え、
前記リソース割り当て情報フィールドは、周波数領域においてキャリアバンドパートに含まれるリソースブロックのうち、どのリソースブロックのセットに前記ＰＤＳＣＨがマップされるかを示し、
前記ＤＣＩフォーマットが、複数のキャリアバンドパートのうち、前記ＰＤＳＣＨがスケジューリングされるキャリアバンドパートを示すＣＢＰ指示情報フィールドを含む第１のＤＣＩフォーマットである場合、
前記リソース割り当て情報フィールドは、周波数領域において前記ＣＢＰ指示情報フィールドによって示される前記キャリアバンドパートに含まれるリソースブロックのうち、
前記ＰＤＳＣＨがマップされるリソースブロックのセットを示し、
前記ＤＣＩフォーマットが、前記ＣＢＰ指示情報フィールドを含まない第２のＤＣＩフォーマットである場合、
前記リソース割り当て情報フィールドは、デフォルトキャリアバンドパートに含まれるリソースブロックのうち、前記ＰＤＳＣＨがマップされるリソースブロックのセットを示す基地局装置。
【請求項６】
前記第１のＤＣＩフォーマットに含まれるフィールドの少なくとも一部は、第１の専用ＲＲＣシグナリングに少なくとも基づき設定され、
前記第２のＤＣＩフォーマットに含まれるフィールドは、前記第１の専用ＲＲＣシグナリングに関わらず設定される請求項５に記載の基地局装置。
【請求項７】
前記ＤＣＩフォーマットが前記第１のＤＣＩフォーマットである場合、前記リソース割り当て情報フィールドのサイズは、前記複数のキャリアバンドパートのそれぞれのために設定されるＲＢＧの数の最大値に対応し、
前記ＤＣＩフォーマットが前記第２のＤＣＩフォーマットである場合、前記リソース割り当て情報フィールドのサイズは、前記デフォルトキャリアバンドパートのために設定されるＲＢＧの数に対応する請求項５に記載の基地局装置。
【請求項８】
端末装置に用いられる通信方法であって、
リソース割り当て情報フィールドを少なくとも含むＤＣＩフォーマットを受信し、
前記リソース割り当て情報フィールドに基づきＰＤＳＣＨを受信するステップを備え、
前記リソース割り当て情報フィールドは、周波数領域においてキャリアバンドパートに含まれるリソースブロックのうち、どのリソースブロックのセットに前記ＰＤＳＣＨがマップされるかを示し、
前記ＤＣＩフォーマットが、複数のキャリアバンドパートのうち、前記ＰＤＳＣＨがスケジューリングされるキャリアバンドパートを示すＣＢＰ指示情報フィールドを含む第１のＤＣＩフォーマットである場合、
前記リソース割り当て情報フィールドは、周波数領域において前記ＣＢＰ指示情報フィールドによって示される前記キャリアバンドパートに含まれるリソースブロックのうち、前記ＰＤＳＣＨがマップされるリソースブロックのセットを示し、
前記ＤＣＩフォーマットが、前記ＣＢＰ指示情報フィールドを含まない第２のＤＣＩフォーマットである場合、
前記リソース割り当て情報フィールドは、デフォルトキャリアバンドパートに含まれるリソースブロックのうち、前記ＰＤＳＣＨがマップされるリソースブロックのセットを示す通信方法。
【請求項９】
基地局装置に用いられる通信方法であって、
リソース割り当て情報フィールドを少なくとも含むＤＣＩフォーマットと、
前記ＤＣＩフォーマットに対応するＰＤＳＣＨを送信するステップを備え、
前記リソース割り当て情報フィールドは、周波数領域においてキャリアバンドパートに含まれるリソースブロックのうち、どのリソースブロックのセットに前記ＰＤＳＣＨがマップされるかを示し、
前記ＤＣＩフォーマットが、複数のキャリアバンドパートのうち、前記ＰＤＳＣＨがスケジューリングされるキャリアバンドパートを示すＣＢＰ指示情報フィールドを含む第１のＤＣＩフォーマットである場合、
前記リソース割り当て情報フィールドは、周波数領域において前記ＣＢＰ指示情報フィールドによって示される前記キャリアバンドパートに含まれるリソースブロックのうち、前記ＰＤＳＣＨがマップされるリソースブロックのセットを示し、
前記ＤＣＩフォーマットが、前記ＣＢＰ指示情報フィールドを含まない第２のＤＣＩフォーマットである場合、
前記リソース割り当て情報フィールドは、デフォルトキャリアバンドパートに含まれるリソースブロックのうち、前記ＰＤＳＣＨがマップされるリソースブロックのセットを示す通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「ＥＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ」と称する。）が、第三世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において検討されている。ＬＴＥにおいて、基地局装置はｅＮｏｄｅＢ（ｅｖｏｌｖｅｄ  ＮｏｄｅＢ）、端末装置はＵＥ（Ｕｓｅｒ  Ｅｑｕｉｐｍｅｎｔ）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ＩＴＵ：Ｉｎｔｅｒｎａｔｉｏｎａｌ  Ｔｅｌｅｃｏｍｍｕｎｉｃａｔｉｏｎ  Ｕｎｉｏｎ）が策定する次世代移動通信システムの規格であるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）―２０２０に提案するため、次世代規格（ＮＲ：  Ｎｅｗ  Ｒａｄｉｏ）の検討が行われている（非特許文献１）。ＮＲは、単一の技術の枠組みにおいて、ｅＭＢＢ（ｅｎｈａｎｃｅｄ  Ｍｏｂｉｌｅ  ＢｒｏａｄＢａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ）の３つのシナリオを想定した要求を満たすことが求められている。
【先行技術文献】
【非特許文献】
【０００４】
【非特許文献１】"New SID proposal: Study on New RadioAccess Technology", RP-160671, NTT docomo, 3GPPTSG RAN Meeting #71, Goteborg, Sweden, 7th - 10th March, 2016.
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、リソース割り当て情報フィールドを少なくとも含むＤＣＩフォーマットを受信し、前記リソース割り当て情報フィールドに基づきＰＤＳＣＨを受信する受信部を備え、前記リソース割り当て情報フィールドは、周波数領域においてキャリアバンドパートに含まれるリソースブロックのうち、どのリソースブロックのセットに前記ＰＤＳＣＨがマップされるかを示し、前記ＤＣＩフォーマットが、複数のキャリアバンドパートのうち、前記ＰＤＳＣＨがスケジューリングされるキャリアバンドパートを示すＣＢＰ指示情報フィールドを含む第１のＤＣＩフォーマットである場合、前記リソース割り当て情報フィールドは、周波数領域において前記ＣＢＰ指示情報フィールドによって示される前記キャリアバンドパートに含まれるリソースブロックのうち、前記ＰＤＳＣＨがマップされるリソースブロックのセットを示し、前記ＤＣＩフォーマットが、前記ＣＢＰ指示情報フィールドを含まない第２のＤＣＩフォーマットである場合、前記リソース割り当て情報フィールドは、デフォルトキャリアバンドパートに含まれるリソースブロックのうち、前記ＰＤＳＣＨがマップされるリソースブロックのセットを示す。
【０００７】
（２）本発明の第２の態様は、基地局装置であって、リソース割り当て情報フィールドを少なくとも含むＤＣＩフォーマットと、前記ＤＣＩフォーマットに対応するＰＤＳＣＨを送信する送信部を備え、前記リソース割り当て情報フィールドは、周波数領域においてキャリアバンドパートに含まれるリソースブロックのうち、どのリソースブロックのセットに前記ＰＤＳＣＨがマップされるかを示し、前記ＤＣＩフォーマットが、複数のキャリアバンドパートのうち、前記ＰＤＳＣＨがスケジューリングされるキャリアバンドパートを示すＣＢＰ指示情報フィールドを含む第１のＤＣＩフォーマットである場合、前記リソース割り当て情報フィールドは、周波数領域において前記ＣＢＰ指示情報フィールドによって示される前記キャリアバンドパートに含まれるリソースブロックのうち、前記ＰＤＳＣＨがマップされるリソースブロックのセットを示し、前記ＤＣＩフォーマットが、前記ＣＢＰ指示情報フィールドを含まない第２のＤＣＩフォーマットである場合、前記リソース割り当て情報フィールドは、デフォルトキャリアバンドパートに含まれるリソースブロックのうち、前記ＰＤＳＣＨがマップされるリソースブロックのセットを示す。
【０００８】
（３）本発明の第３の態様は、端末装置に用いられる通信方法であって、リソース割り当て情報フィールドを少なくとも含むＤＣＩフォーマットを受信し、前記リソース割り当て情報フィールドに基づきＰＤＳＣＨを受信するステップを備え、前記リソース割り当て情報フィールドは、周波数領域においてキャリアバンドパートに含まれるリソースブロックのうち、どのリソースブロックのセットに前記ＰＤＳＣＨがマップされるかを示し、前記ＤＣＩフォーマットが、複数のキャリアバンドパートのうち、前記ＰＤＳＣＨがスケジューリングされるキャリアバンドパートを示すＣＢＰ指示情報フィールドを含む第１のＤＣＩフォーマットである場合、前記リソース割り当て情報フィールドは、周波数領域において前記ＣＢＰ指示情報フィールドによって示される前記キャリアバンドパートに含まれるリソースブロックのうち、前記ＰＤＳＣＨがマップされるリソースブロックのセットを示し、前記ＤＣＩフォーマットが、前記ＣＢＰ指示情報フィールドを含まない第２のＤＣＩフォーマットである場合、前記リソース割り当て情報フィールドは、デフォルトキャリアバンドパートに含まれるリソースブロックのうち、前記ＰＤＳＣＨがマップされるリソースブロックのセットを示す。
【０００９】
（４）本発明の第４の態様は、基地局装置に用いられる通信方法であって、リソース割り当て情報フィールドを少なくとも含むＤＣＩフォーマットと、前記ＤＣＩフォーマットに対応するＰＤＳＣＨを送信するステップを備え、前記リソース割り当て情報フィールドは、周波数領域においてキャリアバンドパートに含まれるリソースブロックのうち、どのリソースブロックのセットに前記ＰＤＳＣＨがマップされるかを示し、前記ＤＣＩフォーマットが、複数のキャリアバンドパートのうち、前記ＰＤＳＣＨがスケジューリングされるキャリアバンドパートを示すＣＢＰ指示情報フィールドを含む第１のＤＣＩフォーマットである場合、前記リソース割り当て情報フィールドは、周波数領域において前記ＣＢＰ指示情報フィールドによって示される前記キャリアバンドパートに含まれるリソースブロックのうち、前記ＰＤＳＣＨがマップされるリソースブロックのセットを示し、前記ＤＣＩフォーマットが、前記ＣＢＰ指示情報フィールドを含まない第２のＤＣＩフォーマットである場合、前記リソース割り当て情報フィールドは、デフォルトキャリアバンドパートに含まれるリソースブロックのうち、前記ＰＤＳＣＨがマップされるリソースブロックのセットを示す。
【発明の効果】
【００１０】
この発明によれば、端末装置は効率的に通信を行うことができる。また、基地局装置は効率的に通信を行うことができる。
【図面の簡単な説明】
【００１１】
【図１】本実施形態の一態様に係る無線通信システムの概念図である。
【図２】本実施形態の一態様に係るＮｓｌｏｔｓｙｍｂ、サブキャリア間隔の設定μ、スロット設定、および、ＣＰ設定の関係を示す一例である。
【図３】本実施形態の一態様に係るサブフレームにおけるリソースグリッドの一例を示す概略図である。
【図４】本実施形態の一態様に係るリソース割り当て情報フィールドのサイズの決定方法の一例を示す図である。
【図５】本実施形態の一態様に係るＣＢＰ指示情報フィールドの一例を示した図である。
【図６】本実施形態の一態様に係るＳＳブロックのマッピングの一例を示した図である。
【図７】本実施形態の一態様に係るキャリアバンドパートアダプテーションの実施例を示す図である。
【図８】本実施形態の一態様に係るタイマーの動作例を示す図である。
【図９】本実施形態の一態様に係るリソースブロックの割り当て方法の一例を示す図である。
【図１０】本実施形態の一態様に係る端末装置１の構成を示す概略ブロック図である。
【図１１】本実施形態の一態様に係る基地局装置３の構成を示す概略ブロック図である。
【発明を実施するための形態】
【００１２】
以下、本発明の実施形態について説明する。
【００１３】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１４】
以下、フレーム構成について説明を行う。
【００１５】
本実施形態の一態様に係る無線通信システムにおいて、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）が少なくとも用いられる。ＯＦＤＭの時間領域の単位であるＯＦＤＭシンボルは、少なくとも１または複数のサブキャリア（ｓｕｂｃａｒｒｉｅｒ）を含み、ベースバンド信号生成において時間連続信号（ｔｉｍｅ−ｃｏｎｔｉｎｕｏｕｓ  ｓｉｇｎａｌ）に変換される。
【００１６】
サブキャリア間隔（ＳＣＳ：ＳｕｂＣａｒｒｉｅｒ  Ｓｐａｃｉｎｇ）は、サブキャリア間隔Δｆ＝２μ・１５ｋＨｚで与えられてもよい。例えば、μは０〜５の値のいずれかであってもよい。キャリアバンドパート（ＣＢＰ：Ｃａｒｒｉｅｒ  ｂａｎｄｗｉｄｔｈ  ｐａｒｔ）のために、サブキャリア間隔の設定に用いられるμが上位層のパラメータ（サブキャリア間隔の設定μ）により与えられてもよい。
【００１７】
本実施形態の一態様に係る無線通信システムにおいて、時間領域の長さの表現のために時間単位（タイムユニット）Ｔｓが用いられる。時間単位Ｔｓは、Ｔｓ＝１／（Δｆｍａｘ・Ｎｆ）で与えられる。Δｆｍａｘは、本実施形態の一態様に係る無線通信システムにおいてサポートされるサブキャリア間隔の最大値であってもよい。Δｆｍａｘは、Δｆｍａｘ＝４８０ｋＨｚであってもよい。時間単位Ｔｓは、Ｔｓとも呼称される。定数κは、κ＝Δｆｍａｘ・Ｎｆ／（ΔｆｒｅｆＮｆ，ｒｅｆ）＝６４である。Δｆｒｅｆは、１５ｋＨｚであり、Ｎｆ，ｒｅｆは、２０４８である。
【００１８】
定数κは、参照サブキャリア間隔とＴｓの関係を示す値であってもよい。定数κはサブフレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００１９】
下りリンク送信、および／または、上りリンク送信は、１０ｍｓの長さのフレームにより構成される。フレームは、１０個のサブフレームを含んで構成される。サブフレームの長さは１ｍｓである。フレームの長さは、サブキャリア間隔Δｆに依存しない値であってもよい。つまり、フレームの設定はμに基づかずに与えられてもよい。サブフレームの長さは、サブキャリア間隔Δｆに依存しない値であってもよい。つまり、サブフレームの設定はμに基づかずに与えられてもよい。
【００２０】
サブキャリア間隔の設定μ（ｓｕｂｃａｒｒｉｅｒ  ｓｐａｃｉｎｇ  ｃｏｎｆｉｇｕｒａｔｉｏｎ）のために、サブフレームに含まれるスロットの数とインデックスが与えられてもよい。例えば、第１のスロット番号ｎμｓは、サブフレーム内において０からＮｓｕｂｆｒａｍｅ，μｓｌｏｔの範囲で昇順に与えられてもよい。サブキャリア間隔の設定μのために、フレームに含まれるスロットの数とインデックスが与えられてもよい。例えば、第２のスロット番号ｎμｓ，ｆは、フレーム内において０からＮｆｒａｍｅ，μｓｌｏｔの範囲で昇順に与えられてもよい。連続するＮｓｌｏｔｓｙｍｂ個のＯＦＤＭシンボルが１つのスロットに含まれてもよい。Ｎｓｌｏｔｓｙｍｂは、スロット設定（ｓｌｏｔ  ｃｏｎｆｉｇｕｒａｔｉｏｎ）、および、ＣＰ（Ｃｙｃｌｉｃ  Ｐｒｅｆｉｘ）設定の一部または全部に少なくとも基づき与えられてもよい。スロット設定は、上位層のパラメータｓｌｏｔ＿ｃｏｎｆｉｇｕｒａｔｉｏｎにより与えられてもよい。ＣＰ設定は、上位層のパラメータに少なくとも基づき与えられてもよい。
【００２１】
図２は、本実施形態の一態様に係るＮｓｌｏｔｓｙｍｂ、サブキャリア間隔の設定μ、スロット設定、および、ＣＰ設定の関係を示す一例である。図２Ａにおいて、スロット設定が０であり、ＣＰ設定がノーマルＣＰ（ｎｏｒｍａｌ  ｃｙｃｌｉｃ  ｐｒｅｆｉｘ）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、スロット設定が０であり、ＣＰ設定が拡張ＣＰ（ｅｘｔｅｎｄｅｄ  ｃｙｃｌｉｃ  ｐｒｅｆｉｘ）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。スロット設定０におけるＮｓｌｏｔｓｙｍｂは、スロット設定１におけるＮｓｌｏｔｓｙｍｂの２倍に対応してもよい。
【００２２】
以下、物理リソースについて説明を行う。
【００２３】
アンテナポートは、１つのアンテナポートにおいてシンボルが伝達されるチャネルが、同一のアンテナポートにおいてその他のシンボルが伝達されるチャネルから推定できることによって定義される。１つのアンテナポートにおいてシンボルが伝達されるチャネルの大規模特性（ｌａｒｇｅ  ｓｃａｌｅ  ｐｒｏｐｅｒｔｙ）が、もう一つのアンテナポートにおいてシンボルが伝達されるチャネルから推定できる場合、２つのアンテナポートはＱＣＬ（Ｑｕａｓｉ  Ｃｏ−Ｌｏｃａｔｅｄ）であると呼称される。大規模特性は、チャネルの長区間特性であってもよい。大規模特性は、遅延拡がり（ｄｅｌａｙ  ｓｐｒｅａｄ）、ドップラー拡がり（ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、平均遅延（ａｖｅｒａｇｅ  ｄｅｌａｙ）、および、ビームパラメータ（ｓｐａｔｉａｌ  Ｒｘ  ｐａｒａｍｅｔｅｒｓ）の一部または全部を少なくとも含んでもよい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることを想定してもよい。２つのアンテナポートがＱＣＬであることは、２つのアンテナポートがＱＣＬであることが想定されることであってもよい。
【００２４】
サブキャリア間隔の設定とキャリアのセットのそれぞれのために、ＮμＲＢ，ｘＮＲＢｓｃ個のサブキャリアとＮ（μ）ｓｙｍｂＮｓｕｂｆｒａｍｅ，μｓｙｍｂ個のＯＦＤＭシンボルのリソースグリッドが与えられる。ＮμＲＢ，ｘは、キャリアｘのためのサブキャリア間隔の設定μのために与えられるリソースブロック数を示してもよい。キャリアｘは下りリンクキャリアまたは上りリンクキャリアのいずれかを示す。つまり、ｘは“ＤＬ”、または、“ＵＬ”である。ＮμＲＢは、ＮμＲＢ，ＤＬ、および、ＮμＲＢ，ＵＬを含んだ呼称である。ＮＲＢｓｃは、１つのリソースブロックに含まれるサブキャリア数を示してもよい。アンテナポートｐごとに、および／または、サブキャリア間隔の設定μごとに、および／または、送信方向（Ｔｒａｎｓｍｉｓｓｉｏｎ  ｄｉｒｅｃｔｉｏｎ）の設定ごとに１つのリソースグリッドが与えられてもよい。送信方向は、少なくとも下りリンク（ＤＬ：ＤｏｗｎＬｉｎｋ）および上りリンク（ＵＬ：ＵｐＬｉｎｋ）を含む。以下、アンテナポートｐ、サブキャリア間隔の設定μ、および、送信方向の設定の一部または全部を少なくとも含むパラメータのセットは、第１の無線パラメータセットとも呼称される。つまり、リソースグリッドは、第１の無線パラメータセットごとに１つ与えられてもよい。
【００２５】
下りリンクにおいて、サービングセルに対応するキャリアを下りリンクキャリア（または、下りリンクコンポーネントキャリア）と称する。上りリンクにおいて、サービングセルに対応するキャリアを上りリンクキャリア（上りリンクコンポーネントキャリア）と称する。下りリンクコンポーネントキャリア、および、上りリンクコンポーネントキャリアを総称して、コンポーネントキャリアと称する。
【００２６】
第１の無線パラメータセットごとに与えられるリソースグリッドの中の各要素は、リソースエレメントと呼称される。リソースエレメントは周波数領域のインデックスｋと、時間領域のインデックスｌにより特定される。周波数領域のインデックスｋと時間領域のインデックスｌにより特定されるリソースエレメントは、リソースエレメント（ｋ、ｌ）とも呼称される。周波数領域のインデックスｋは、０からＮμＲＢＮＲＢｓｃ−１のいずれかの値を示す。ＮμＲＢはサブキャリア間隔の設定μのために与えられるリソースブロック数であってもよい。ＮＲＢｓｃは、リソースブロックに含まれるサブキャリア数であり、ＮＲＢｓｃ＝１２である。周波数領域のインデックスｋは、サブキャリアインデックスに対応してもよい。時間領域のインデックスｌは、ＯＦＤＭシンボルインデックスに対応してもよい。
【００２７】
図３は、本実施形態の一態様に係るサブフレームにおけるリソースグリッドの一例を示す概略図である。図３のリソースグリッドにおいて、横軸は時間領域のインデックスｌであり、縦軸は周波数領域のインデックスｋである。１つのサブフレームにおいて、リソースグリッドの周波数領域はＮμＲＢＮＲＢｓｃ個のサブキャリアを含み、リソースグリッドの時間領域は１４・２μ個のＯＦＤＭシンボルを含んでもよい。リソースブロックは、ＮＲＢｓｃ個のサブキャリアを含んで構成される。リソースブロックの時間領域は、１ＯＦＤＭシンボルに対応してもよい。リソースブロックの時間領域は、１または複数のスロットに対応してもよい。リソースブロックの時間領域は、１つのサブフレームに対応してもよい。
【００２８】
端末装置１は、リソースグリッドのサブセットのみを用いて送受信を行うことが指示されてもよい。リソースグリッドのサブセットは、キャリアバンドパートとも呼称され、キャリアバンドパートは上位層のパラメータ、および／または、ＤＣＩにより与えられてもよい。キャリアバンドパートをバンドパートとも称する（ＢＰ：ｂａｎｄｗｉｄｔｈ  ｐａｒｔ）。つまり、端末装置は、リソースグリッドのすべてのセットを用いて送受信を行なうことが指示されなくてもよい。つまり、端末装置は、リソースグリッド内の一部のリソースを用いて送受信を行なうことが指示されてもよい。１つのキャリアバンドパートは、周波数領域における複数のリソースブロックから構成されてもよい。１つのキャリアバンドパートは、周波数領域において連続する複数のリソースブロックから構成されてもよい。キャリアバンドパートは、ＢＷＰ（ＢａｎｄＷｉｄｔｈ  Ｐａｒｔ）とも呼称される。下りリンクキャリアに対して設定されるキャリアバンドパートは、下りリンクキャリアバンドパートとも呼称される。上りリンクキャリアに対して設定されるキャリアバンドパートは、上りリンクキャリアバンドパートとも呼称される。
【００２９】
サービングセルのそれぞれに対して下りリンクキャリアバンドパートのセットが設定されてもよい。下りリンクキャリアバンドパートのセットは１または複数の下りリンクキャリアバンドパートを含んでもよい。サービングセルのそれぞれに対して上りリンクキャリアバンドパートのセットが設定されてもよい。上りリンクキャリアバンドパートのセットは１または複数の上りリンクキャリアバンドパートを含んでもよい。
【００３０】
上位層のパラメータは、上位層の信号に含まれるパラメータである。上位層の信号は、ＲＲＣ（Ｒａｄｉｏ  Ｒｅｓｏｕｒｃｅ  Ｃｏｎｔｒｏｌ）シグナリングであってもよいし、ＭＡＣ  ＣＥ（Ｍｅｄｉｕｍ  Ａｃｃｅｓｓ  Ｃｏｎｔｒｏｌ  Ｃｏｎｔｒｏｌ  Ｅｌｅｍｅｎｔ）であってもよい。ここで、上位層の信号は、ＲＲＣ層の信号であってもよいし、ＭＡＣ層の信号であってもよい。
【００３１】
上位層の信号は、共通ＲＲＣシグナリング（ｃｏｍｍｏｎ  ＲＲＣ  ｓｉｇｎａｌｉｎｇ）であってもよい。共通ＲＲＣシグナリングは、以下の特徴Ｃ１から特徴Ｃ３の一部または全部を少なくとも備える。
特徴Ｃ１）ＢＣＣＨロジカルチャネル、または、ＣＣＣＨロジカルチャネルにマップされる
特徴Ｃ２）ｒａｄｉｏＲｅｓｏｕｒｃｅＣｏｎｆｉｇＣｏｍｍｏｎ情報要素を少なくとも含む
特徴Ｃ３）ＰＢＣＨにマップされる
【００３２】
ｒａｄｉｏＲｅｓｏｕｒｃｅＣｏｎｆｉｇＣｏｍｍｏｎ情報要素は、サービングセルにおいて共通に用いられる設定を示す情報を含んでもよい。サービングセルにおいて共通に用いられる設定は、ＰＲＡＣＨの設定を少なくとも含んでもよい。該ＰＲＡＣＨの設定は、１または複数のランダムアクセスプリアンブルインデックスのセットを少なくとも示してもよい。該ＰＲＡＣＨの設定は、ＰＲＡＣＨの時間／周波数リソースを少なくとも示してもよい。
【００３３】
上位層の信号は、専用ＲＲＣシグナリング（ｄｅｄｉｃａｔｅｄ  ＲＲＣ  ｓｉｇｎａｌｉｎｇ）であってもよい。専用ＲＲＣシグナリングは、以下の特徴Ｄ１からＤ２の一部または全部を少なくとも備える。
特徴Ｄ１）ＤＣＣＨロジカルチャネルにマップされる
特徴Ｄ２）ｒａｄｉｏＲｅｓｏｕｒｃｅＣｏｎｆｉｇＤｅｄｉｃａｔｅｄ情報要素を少なくとも含む
【００３４】
ｒａｄｉｏＲｅｓｏｕｒｃｅＣｏｎｆｉｇＤｅｄｉｃａｔｅｄ情報要素は、端末装置１に固有の設定を示す情報を少なくとも含んでもよい。ｒａｄｉｏＲｅｓｏｕｒｃｅＣｏｎｆｉｇＤｅｄｉｃａｔｅｄ情報要素は、キャリアバンドパート５１２、および／または、キャリアバンドパート５１３の設定を示す情報を少なくとも含んでもよい。該キャリアバンドパート５１２の設定は、該キャリアバンドパート５１２の周波数リソースを少なくとも示してもよい。該キャリアバンドパート５１３の設定は、該キャリアバンドパート５１３の周波数リソースを少なくとも示してもよい。
【００３５】
例えば、ＭＩＢ、第１のシステム情報、および、第２のシステム情報は共通ＲＲＣシグナリングに含まれてもよい。また、ＤＣＣＨロジカルチャネルにマップされ、かつ、ｒａｄｉｏＲｅｓｏｕｒｃｅＣｏｎｆｉｇＣｏｍｍｏｎを少なくとも含む上位層のメッセージは、共通ＲＲＣシグナリングに含まれてもよい。また、ＤＣＣＨロジカルチャネルにマップされ、かつ、ｒａｄｉｏＲｅｓｏｕｒｃｅＣｏｎｆｉｇＣｏｍｍｏｎを含まない上位層のメッセージは、専用ＲＲＣシグナリングに含まれてもよい。また、ＤＣＣＨロジカルチャネルにマップされ、かつ、ｒａｄｉｏＲｅｓｏｕｒｃｅＣｏｎｆｉｇＤｅｄｉｃａｔｅｄを少なくとも含む上位層のメッセージは、専用ＲＲＣシグナリングに含まれてもよい。
【００３６】
第１のシステム情報は、ＳＳ（Ｓｙｎｃｈｒｏｎｉｚａｔｉｏｎ  Ｓｉｇｎａｌ）ブロック（ＳＳ／ＰＢＣＨブロック）の時間インデックスを少なくとも含んでもよい。第１のシステム情報は、ＰＲＡＣＨリソースに関連する情報を少なくとも含んでもよい。第１のシステム情報は、初期接続の設定に関連する情報を少なくとも含んでもよい。第２のシステム情報は、第１のシステム情報以外のシステム情報であってもよい。
【００３７】
ｒａｄｉｏＲｅｓｏｕｒｃｅＣｏｎｆｉｇＤｅｄｉｃａｔｅｄ情報要素は、ＰＲＡＣＨリソースに関連する情報を少なくとも含んでもよい。ｒａｄｉｏＲｅｓｏｕｒｃｅＣｏｎｆｉｇＤｅｄｉｃａｔｅｄ情報要素は、初期接続の設定に関連する情報を少なくとも含んでもよい。
【００３８】
以下、本実施形態の種々の態様に係る物理チャネルおよび物理シグナルを説明する。
【００３９】
上りリンク物理チャネルは、上位層において発生する情報を運ぶリソースエレメントのセットに対応してもよい。上りリンク物理チャネルは、上りリンクにおいて用いられる物理チャネルである。本実施形態の一態様に係る無線通信システムにおいて、少なくとも下記の一部または全部の上りリンク物理チャネルが用いられる。
・ＰＵＣＣＨ（Ｐｈｙｓｉｃａｌ  Ｕｐｌｉｎｋ  Ｃｏｎｔｒｏｌ  ＣＨａｎｎｅｌ）
・ＰＵＳＣＨ（Ｐｈｙｓｉｃａｌ  Ｕｐｌｉｎｋ  Ｓｈａｒｅｄ  ＣＨａｎｎｅｌ）
・ＰＲＡＣＨ（Ｐｈｙｓｉｃａｌ  Ｒａｎｄｏｍ  Ａｃｃｅｓｓ  ＣＨａｎｎｅｌ）
【００４０】
ＰＵＣＣＨは、上りリンク制御情報（ＵＣＩ：Ｕｐｌｉｎｋ  Ｃｏｎｔｒｏｌ  Ｉｎｆｏｒｍａｔｉｏｎ）を送信するために用いられてもよい。上りリンク制御情報は、下りリンク物理チャネルのチャネル状態情報（ＣＳＩ：Ｃｈａｎｎｅｌ  Ｓｔａｔｅ  Ｉｎｆｏｒｍａｔｉｏｎ）、スケジューリングリクエスト（ＳＲ：Ｓｃｈｅｄｕｌｉｎｇ  Ｒｅｑｕｅｓｔ）、下りリンクデータ（ＴＢ：Ｔｒａｎｓｐｏｒｔ  ｂｌｏｃｋ、ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＤＬ−ＳＣＨ：Ｄｏｗｎｌｉｎｋ−Ｓｈａｒｅｄ  Ｃｈａｎｎｅｌ、ＰＤＳＣＨ：Ｐｈｙｓｉｃａｌ  Ｄｏｗｎｌｉｎｋ  Ｓｈａｒｅｄ  Ｃｈａｎｎｅｌ）に対するＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）の一部または全部を含む。ＨＡＲＱ−ＡＣＫは、下りリンクデータに対応するＡＣＫ（ａｃｋｎｏｗｌｅｄｇｅｍｅｎｔ）またはＮＡＣＫ（ｎｅｇａｔｉｖｅ−ａｃｋｎｏｗｌｅｄｇｅｍｅｎｔ）を示してもよい。
【００４１】
ＨＡＲＱ−ＡＣＫは、下りリンクデータに含まれる１または複数のＣＢＧ（Ｃｏｄｅ  Ｂｌｏｃｋ  Ｇｒｏｕｐ）のそれぞれに対応するＡＣＫまたはＮＡＣＫを示してもよい。ＨＡＲＱ−ＡＣＫを、ＨＡＲＱフィードバック、ＨＡＲＱ情報、ＨＡＲＱ制御情報、および、ＡＣＫ／ＮＡＣＫとも称する。
【００４２】
スケジューリングリクエストは、初期送信のためのＰＵＳＣＨ（ＵＬ−ＳＣＨ：Ｕｐｌｉｎｋ−Ｓｈａｒｅｄ  Ｃｈａｎｎｅｌ）リソースを要求するために少なくとも用いられてもよい。
【００４３】
チャネル状態情報（ＣＳＩ：Ｃｈａｎｎｅｌ  Ｓｔａｔｅ  Ｉｎｆｏｒｍａｔｉｏｎ）は、チャネル品質指標（ＣＱＩ：  Ｃｈａｎｎｅｌ  Ｑｕａｌｉｔｙ  Ｉｎｄｉｃａｔｏｒ）とランク指標（ＲＩ：  Ｒａｎｋ  Ｉｎｄｉｃａｔｏｒ）を少なくとも含む。チャネル品質指標は、プレコーダ行列指標（ＰＭＩ：Ｐｒｅｃｏｄｅｒ  Ｍａｔｒｉｘ  Ｉｎｄｉｃａｔｏｒ）を含んでもよい。ＣＱＩは、チャネル品質（伝搬強度）に関連する指標であり、ＰＭＩは、プレコーダを指示する指標である。ＲＩは、送信ランク（または、送信レイヤ数）を指示する指標である。
【００４４】
ＰＵＳＣＨは、上りリンクデータ（ＴＢ、ＭＡＣ  ＰＤＵ、ＵＬ−ＳＣＨ、ＰＵＳＣＨ）を送信するために用いられる。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００４５】
ＰＲＡＣＨは、ランダムアクセスプリアンブル（ランダムアクセスメッセージ１）を送信するために用いられる。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンクデータの送信に対する同期（タイミング調整）、およびＰＵＳＣＨ（ＵＬ−ＳＣＨ）リソースの要求を示すために用いられる。ランダムアクセスプリアンブルは、端末装置１の上位層より与えられるインデックス（ランダムアクセスプリアンブルインデックス）を基地局装置３に通知するために用いられてもよい。
【００４６】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成されてもよい。１つのサービングセル（ｓｅｒｖｉｎｇ  ｃｅｌｌ）において、複数のランダムアクセスプリアンブルが定義されてもよい。ランダムアクセスプリアンブルは、ランダムアクセスプリアンブルのインデックスに少なくとも基づき特定されてもよい。ランダムアクセスプリアンブルの異なるインデックスに対応する異なるランダムアクセスプリアンブルは、物理ルートシーケンスインデックスｕとサイクリックシフトの異なる組み合わせに対応してもよい。物理ルートシーケンスインデックスｕ、および、サイクリックシフトは、システム情報に含まれる情報に少なくとも基づいて与えられてもよい。物理ルートシーケンスインデックスｕは、ランダムアクセスプリアンブルに含まれる系列を識別するインデックスであってもよい。ランダムアクセスプリアンブルは、物理ルートシーケンスインデックスｕに少なくとも基づき特定されてもよい。
【００４７】
図１において、上りリンクの無線通信では、以下の上りリンク物理シグナルが用いられる。上りリンク物理シグナルは、上位層から出力された情報を送信するために使用されなくてもよいが、物理層によって使用される。
・ＵＬ  ＤＭＲＳ（ＵｐＬｉｎｋ  Ｄｅｍｏｄｕｌａｔｉｏｎ  Ｒｅｆｅｒｅｎｃｅ  Ｓｉｇｎａｌ）
・ＳＲＳ（Ｓｏｕｎｄｉｎｇ  Ｒｅｆｅｒｅｎｃｅ  Ｓｉｇｎａｌ）
・ＵＬ  ＰＴＲＳ（ＵｐＬｉｎｋ  Ｐｈａｓｅ  Ｔｒａｃｋｉｎｇ  Ｒｅｆｅｒｅｎｃｅ
Ｓｉｇｎａｌ）
【００４８】
ＵＬ  ＤＭＲＳは、ＰＵＳＣＨ、および／または、ＰＵＣＣＨの送信に関連する。ＵＬ  ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、ＰＵＳＣＨと、該ＰＵＳＣＨに関連するＵＬ  ＤＭＲＳを共に送信することを、単に、ＰＵＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００４９】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００５０】
ＵＬ  ＰＴＲＳは、位相トラッキングのために少なくとも用いられる参照信号であってもよい。ＵＬ  ＰＴＲＳは、１または複数のＵＬ  ＤＭＲＳに用いられるアンテナポートを少なくとも含むＵＬ  ＤＭＲＳグループに関連してもよい。ＵＬ  ＰＴＲＳとＵＬ  ＤＭＲＳグループが関連することは、ＵＬ  ＰＴＲＳのアンテナポートとＵＬ  ＤＭＲＳグループに含まれるアンテナポートの一部または全部が少なくともＱＣＬであることであってもよい。ＵＬ  ＤＭＲＳグループは、ＵＬ  ＤＭＲＳグループに含まれるＵＬ  ＤＭＲＳにおいて最も小さいインデックスのアンテナポートに少なくとも基づき識別されてもよい。
【００５１】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Ｐｈｙｓｉｃａｌ  Ｂｒｏａｄｃａｓｔ  Ｃｈａｎｎｅｌ）
・ＰＤＣＣＨ（Ｐｈｙｓｉｃａｌ  Ｄｏｗｎｌｉｎｋ  Ｃｏｎｔｒｏｌ  Ｃｈａｎｎｅｌ）
・ＰＤＳＣＨ（Ｐｈｙｓｉｃａｌ  Ｄｏｗｎｌｉｎｋ  Ｓｈａｒｅｄ  Ｃｈａｎｎｅｌ）
【００５２】
ＰＢＣＨは、マスターインフォメーションブロック（ＭＩＢ：Ｍａｓｔｅｒ  Ｉｎｆｏｒｍａｔｉｏｎ  Ｂｌｏｃｋ、ＢＣＨ、Ｂｒｏａｄｃａｓｔ  Ｃｈａｎｎｅｌ）を送信するために用いられる。ＰＢＣＨは、所定の送信間隔に基づき送信されてもよい。例えば、ＰＢＣＨは、８０ｍｓの間隔で送信されてもよい。ＰＢＣＨに含まれる情報の中身は、８０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および、無線フレームの番号の少なくとも一部を指示する情報を含んでもよい。
【００５３】
ＰＤＣＣＨは、下りリンク制御情報（ＤＣＩ：Ｄｏｗｎｌｉｎｋ  Ｃｏｎｔｒｏｌ  Ｉｎｆｏｒｍａｔｉｏｎ）を送信するために用いられる。下りリンク制御情報は、ＤＣＩフォーマットとも呼称される。下りリンク制御情報は、下りリンクグラント（ｄｏｗｎｌｉｎｋ  ｇｒａｎｔ）または上りリンクグラント（ｕｐｌｉｎｋ  ｇｒａｎｔ）のいずれかを少なくとも含んでもよい。ＰＤＳＣＨのスケジューリングのために用いられるＤＣＩフォーマットは、下りリンクグラントと呼称されてもよい。ＰＵＳＣＨのスケジューリングのために用いられるＤＣＩフォーマットは、上りリンクグラントと呼称されてもよい。下りリンクグラントは、下りリンクアサインメント（ｄｏｗｎｌｉｎｋ  ａｓｓｉｇｎｍｅｎｔ）または下りリンク割り当て（ｄｏｗｎｌｉｎｋ  ａｌｌｏｃａｔｉｏｎ）とも呼称される。
【００５４】
ＤＣＩフォーマットは、ＰＤＳＣＨで送信されるトランスポートブロックのサイズ（ＴＢＳ：Ｔｒａｎｓｐｏｒｔ  Ｂｌｏｃｋ  Ｓｉｚｅ）を少なくとも指示する情報ビットにマップされるＴＢＳ情報フィールド、周波数領域において該ＰＤＳＣＨがマップされるリソースブロックのセットを少なくとも示す情報ビットにマップされるリソース割り当て情報フィールド（Ｒｅｓｏｕｒｃｅ  ａｌｌｏｃａｔｉｏｎ  ｆｉｅｌｄ）、該ＰＤＳＣＨのための変調方式を少なくとも指示する情報ビットにマップされるＭＣＳ情報フィールド、該トランスポートブロックに対応するＨＡＲＱプロセス番号を少なくとも指示する情報ビットにマップされるＨＡＲＱプロセス番号情報フィールド、該トランスポートブロックに対応するＮＤＩ（Ｎｅｗ  Ｄａｔａ  Ｉｎｄｉｃａｔｏｒ）を少なくとも指示する情報ビットにマップされるＮＤＩ指示情報フィールド、および、該トランスポートブロックのためのＲＶ（Ｒｅｄｕｎｄａｎｃｙ  Ｖｅｒｓｉｏｎ）を少なくとも指示する情報ビットにマップされるＲＶ情報フィールドの一部または全部を少なくとも含んでもよい。
【００５５】
ＤＣＩフォーマットに含まれる１または複数の情報フィールドは、複数の指示情報のジョイントコーディングにより与えられる情報ビットにマップされてもよい。例えば、ＤＣＩフォーマットは、ＴＢＳに関連する情報およびＰＤＳＣＨの変調方式を指示する情報のジョイントコーディングに少なくとも基づき与えられる情報ビットにマップされるＭＣＳ情報フィールドを含んでもよい。
【００５６】
ＤＣＩフォーマットは、第１のＤＣＩフォーマット、および、第２のＤＣＩフォーマットのいずれかであってもよい。第１のＤＣＩフォーマットに含まれるフィールドの一部または全部は、専用ＲＲＣシグナリングに少なくとも基づき与えられてもよい。第２のＤＣＩフォーマットに含まれる情報フィールドのセットは、専用ＲＲＣシグナリングに関わらず与えられてもよい。第２のＤＣＩフォーマットに含まれる情報フィールドのセットは、共通ＲＲＣシグナリングに基づき与えられてもよい。
【００５７】
第１のＤＣＩフォーマットに含まれるリソース割り当て情報フィールドのサイズは、専用ＲＲＣシグナリングに少なくとも基づき与えられてもよい。第２のＤＣＩフォーマットに含まれるリソース割り当て情報フィールドのサイズは、専用ＲＲＣシグナリングに関わらず与えられてもよい。第２のＤＣＩフォーマットに含まれるリソース割り当て情報フィールドのサイズは、共通ＲＲＣシグナリングに基づき与えられてもよい。
【００５８】
リソース割り当て情報フィールドのサイズは、周波数領域においてキャリアバンドパートに含まれるリソースブロックの数に少なくとも基づき与えられてもよい。
【００５９】
図４は、本実施形態の一態様に係るリソース割り当て情報フィールドのサイズの決定方法の一例を示す図である。図４において、周波数領域における、キャリアバンドパートに含まれるリソースブロックの数ＮＲＢ＿ＣＢＰは２７に設定されている。図４のパターンＡ（ｐａｔｔｅｒｎ  Ａ）において、ＲＢＧのサイズＮＲＢＧは４に設定され、図４のパターンＢ（ｐａｔｔｅｒｎ  Ｂ）において、ＲＢＧのサイズＮＲＢＧは２に設定されている。図４のパターンＡにおいて、該キャリアバンドパートにおけるＲＢＧ（Ｒｅｓｏｕｒｃｅ  Ｂｌｏｃｋ  Ｇｒｏｕｐ）の数ＮＲＢＧ＿ＣＢＰは７である。図４のパターンＢにおいて、キャリアバンドパートにおけるＲＢＧの数ＮＲＢＧ＿ＣＢＰは１４である。キャリアバンドパートにおけるＲＢＧの数ＮＲＢＧ＿ＣＢＰは、周波数領域においてキャリアバンドパートに含まれるリソースブロックの数ＮＲＢ＿ＣＢＰと、ＲＢＧのサイズＮＲＢＧに少なくとも基づき与えられる。キャリアバンドパートにおけるＲＢＧの数ＮＲＢＧ＿ＣＢＰは、ＮＲＢＧ＿ＣＢＰ＝ｃｅｉｌ（ＮＲＢ＿ＣＢＰ／ＮＲＢＧ）により与えられてもよい。ここで、ｃｅｉｌ（Ｘｖａｌｕｅ）は、Ｘｖａｌｕｅに対する天井関数であってもよい。ｃｅｉｌ（Ｘｖａｌｕｅ）は、Ｘｖａｌｕｅを下回らない範囲で最小の整数であってもよい。キャリアバンドパートにおけるＲＢＧの数ＮＲＢＧ＿ＣＢＰは、ＮＲＢＧ＿ＣＢＰ＝ｆｌｏｏｒ（ＮＲＢ＿ＣＢＰ／ＮＲＢＧ）により与えられてもよい。ここで、ｆｌｏｏｒ（Ｘｖａｌｕｅ）は、Ｘｖａｌｕｅに対する床関数であってもよい。ｆｌｏｏｒ（Ｘｖａｌｕｅ）は、Ｘｖａｌｕｅを上回らない範囲で最大の整数であってもよい。
【００６０】
本実施形態の種々の態様において、特別な記載のない限り、リソースブロックの数は周波数領域におけるリソースブロックの数を示す。
【００６１】
第１のリソース割り当て方法において、リソース割り当て情報フィールドのサイズは、ＲＢＧ（Ｒｅｓｏｕｒｃｅ  Ｂｌｏｃｋ  Ｇｒｏｕｐ）の数と同じでもよい。第１のリソース割り当て方法は、ＲＢＧのビットマップにより、ＰＤＳＣＨがマップされるリソースブロックのセットを示す方法である。
【００６２】
第２のリソース割り当て方法において、リソース割り当て情報フィールドのサイズは、ｃｅｉｌ（ｌｏｇ２（ＮＲＢ＿ＣＢＰ×（ＮＲＢ＿ＣＢＰ−１）／２））で与えられてもよい。第２のリソース割り当て方法において、リソース割り当て情報フィールドのサイズは、ｃｅｉｌ（ｌｏｇ２（ＮＲＢＧ＿ＣＢＰ×（ＮＲＢＧ＿ＣＢＰ−１）／２））で与えられてもよい。第２のリソース割り当て方法は、連続するリソースブロックインデックスを、ＰＤＳＣＨがマップされるリソースブロックのセットとして示す方法であってもよい。第２のリソース割り当て方法は、キャリアバンドパートに含まれるリソースブロックのうち、選択された２つのリソースブロックインデックスの間のリソースブロックインデックスに対応するリソースブロックを、ＰＤＳＣＨがマップされるリソースブロックのセットとして示す方法であってもよい。第２のリソース割り当て方法は、連続するＲＢＧインデックスを、ＰＤＳＣＨがマップされるリソースブロックのセットとして示す方法であってもよい。第２のリソース割り当て方法は、キャリアバンドパートに含まれるＲＢＧのうち、選択された２つのＲＢＧインデックスの間のＲＢＧインデックスに対応するＲＢＧを、ＰＤＳＣＨがマップされるリソースブロックのセットとして示す方法であってもよい。
【００６３】
１つの下りリンクグラントは、１つのサービングセル内の１つのＰＤＳＣＨのスケジューリングのために少なくとも用いられる。下りリンクグラントは、該下りリンクグラントが送信されたスロットと同じスロット内のＰＤＳＣＨのスケジューリングのために少なくとも用いられる。
【００６４】
１つの上りリンクグラントは、１つのサービングセル内の１つのＰＵＳＣＨのスケジューリングのために少なくとも用いられる。
【００６５】
１つの物理チャネルは、１つのサービングセルにマップされてもよい。１つの物理チャネルは、複数のサービングセルにマップされなくてもよい。
【００６６】
第１のＤＣＩフォーマットは、ＣＢＰ指示情報フィールドを含んでもよい。ＣＢＰ指示情報フィールドは、アクティブキャリアバンドパート（Ａｃｔｉｖｅ  ｃａｒｒｉｅｒ  ｂａｎｄｗｉｄｔｈ  ｐａｒｔ）に設定されるキャリアバンドパートを少なくとも指示してもよい。下りリンクキャリアに対するアクティブキャリアバンドパートは、下りリンクアクティブキャリアバンドパート（Ｄｏｗｎｌｉｎｋ  ａｃｔｉｖｅ  ｃａｒｒｉｅｒ  ｂａｎｄｗｉｄｔｈ  ｐａｒｔ）とも呼称される。上りリンクキャリアに対するアクティブキャリアバンドパートは、上りリンクアクティブキャリアバンドパート（Ｕｐｌｉｎｋ  ａｃｔｉｖｅ  ｃａｒｒｉｅｒ  ｂａｎｄｗｉｄｔｈ  ｐａｒｔ）とも呼称される。端末装置１は、下りリンクアクティブキャリアバンドパートにおいて、ＰＤＣＣＨ、および、ＰＤＳＣＨを少なくとも受信することができる。また、端末装置１は、上りリンクアクティブキャリアバンドパートにおいて、ＰＵＣＣＨ、および、ＰＵＳＣＨを少なくとも受信することができる。また、下りリンクアクティブキャリアバンドパート以外のキャリアバンドパートにおいて、ＰＤＣＣＨ、および、ＰＤＳＣＨを受信しなくてもよい。また、上りリンクアクティブキャリアバンドパート以外のキャリアバンドパートにおいて、ＰＵＣＣＨ、および、ＰＵＳＣＨを送信しなくてもよい。
【００６７】
ＰＤＳＣＨのスケジューリングに用いられる第１のＤＣＩフォーマットは、第１の下りリンクＤＣＩフォーマットとも呼称される。ＰＵＳＣＨのスケジューリングに用いられる第１のＤＣＩフォーマットは、第１の上りリンクＤＣＩフォーマットとも呼称される。第１の下りリンクＤＣＩフォーマットおよび第１の上りリンクＤＣＩフォーマットは、第１のＤＣＩフォーマットとも呼称される。
【００６８】
図５は、本実施形態の一態様に係るＣＢＰ指示情報フィールドの一例を示した図である。図５において、ＣＢＰ指示情報フィールドのサイズは２ビットである。図５に示されるように、ＣＢＰ指示情報フィールドがマップされる情報ビットのコードポイントのそれぞれに対して、キャリアバンドパートが対応してもよい。ＣＢＧ指示情報フィールドのサイズは、１ビットであってもよいし、３ビットであってもよいし、その他のビット数であってもよい。
【００６９】
ある下りリンクキャリアに対する下りリンクアクティブキャリアバンドパートは１つであってもよい。ある上りリンクキャリアに対する上りリンクアクティブキャリアバンドパートは１つであってもよい。
【００７０】
ある下りリンクキャリアに対する下りリンクアクティブキャリアバンドパートは複数であってもよい。ある上りリンクキャリアに対する上りリンクアクティブキャリアバンドパートは複数であってもよい。
【００７１】
ＦＤＤ（Ｆｒｅｑｕｅｎｃｙ  Ｄｉｖｉｓｏｎ  Ｄｕｐｌｅｘ）モードにおいて、下りリンクアクティブキャリアバンドパートと上りリンクアクティブキャリアバンドパートは対応しなくてもよい。ＴＤＤ（Ｔｉｍｅ  Ｄｉｖｉｓｉｏｎ  Ｄｕｐｌｅｘ）モードにおいて、下りリンクアクティブキャリアバンドパートと上りリンクアクティブキャリアバンドパートは対応してもよい。下りリンクアクティブキャリアバンドパートと上りリンクアクティブキャリアバンドパートが対応することは、下りリンクアクティブキャリアバンドパートの中心周波数と上りリンクアクティブキャリアバンドパートの中心周波数が一致することであってもよい。下りリンクアクティブキャリアバンドパートと上りリンクアクティブキャリアバンドパートが対応することは、下りリンクアクティブキャリアバンドパートに対して設定可能なキャリア周波数（例えば、最小キャリア周波数と最大キャリア周波数）と上りリンクアクティブキャリアバンドパートに対して設定可能なキャリア周波数（例えば、最小キャリア周波数と最大キャリア周波数）が一致することであってもよい。下りリンクアクティブキャリアバンドパートと上りリンクアクティブキャリアバンドパートが対応することは、下りリンクアクティブキャリアバンドパートに関連するリソースオフセット値Ｎｏｆｆｓｅｔ＿ＣＢＰと上りリンクアクティブキャリアバンドパートに関連するリソースオフセット値Ｎｏｆｆｓｅｔ＿ＣＢＰが一致することであってもよい。下りリンクアクティブキャリアバンドパートと上りリンクアクティブキャリアバンドパートが対応することは、下りリンクアクティブキャリアバンドパートに対して利用可能なリソースブロックインデックスの範囲と上りリンクアクティブキャリアバンドパートに対して利用可能なリソースブロックインデックスの範囲が一致することであってもよい。下りリンクアクティブキャリアバンドパートと上りリンクアクティブキャリアバンドパートが対応する場合、ＣＢＰ指示情報フィールドは、該下りリンクアクティブキャリアバンドパートの設定と該上りリンクアクティブキャリアバンドパートの設定の両方を示してもよい。
【００７２】
ＣＢＰ指示情報フィールドは、下りリンクアクティブキャリアバンドパートに設定される下りリンクキャリアバンドパートを少なくとも示してもよい。該ＣＢＰ指示情報フィールドを含むＤＣＩフォーマットによりスケジューリングされるＰＤＳＣＨは、該下りリンクキャリアバンドパートにおいて受信されてもよい。ＣＢＰ指示情報フィールドは、該ＣＢＰ指示情報フィールドを含むＤＣＩフォーマットによりスケジューリングされるＰＤＳＣＨを受信する下りリンクキャリアバンドパートを少なくとも指示してもよい。ＣＢＰ指示情報フィールドは、該ＣＢＰ指示情報フィールドを含むＤＣＩフォーマットによりスケジューリングされるＰＵＳＣＨを送信する上りリンクキャリアバンドパートを指示する情報を少なくとも含んでもよい。
【００７３】
第２のＤＣＩフォーマットは、ＣＢＰ指示情報フィールドを含まなくてもよい。
【００７４】
ＰＤＳＣＨのスケジューリングに用いられる第２のＤＣＩフォーマットは、第２の下りリンクＤＣＩフォーマットとも呼称される。ＰＵＳＣＨのスケジューリングに用いられる第２のＤＣＩフォーマットは、第２の上りリンクＤＣＩフォーマットとも呼称される。第２の下りリンクＤＣＩフォーマットおよび第２の上りリンクＤＣＩフォーマットは、第２のＤＣＩフォーマットとも呼称される。
【００７５】
端末装置１は、ＰＤＣＣＨの探索のために、１または複数の制御リソースセット（ＣＯＲＥＳＥＴ：ＣＯｎｔｒｏｌ  ＲＥｓｏｕｒｃｅ  ＳＥＴ）が設定される。端末装置１は、１または複数の制御リソースセットにおいてＰＤＣＣＨの受信を試みる。
【００７６】
制御リソースセットは、１つまたは複数のＰＤＣＣＨがマップされうる時間周波数領域を示してもよい。制御リソースセットは、端末装置１がＰＤＣＣＨの受信を試みる領域であってもよい。制御リソースセットは、連続的なリソース（Ｌｏｃａｌｉｚｅｄ  ｒｅｓｏｕｒｃｅ）により構成されてもよい。制御リソースセットは、非連続的なリソース（ｄｉｓｔｒｉｂｕｔｅｄ  ｒｅｓｏｕｒｃｅ）により構成されてもよい。
【００７７】
周波数領域において、制御リソースセットのマッピングの単位はリソースブロックであってもよい。例えば、周波数領域において、制御リソースセットのマッピングの単位は６リソースブロックであってもよい。時間領域において、制御リソースセットのマッピングの単位はＯＦＤＭシンボルであってもよい。例えば、時間領域において、制御リソースセットのマッピングの単位は１ＯＦＤＭシンボルであってもよい。
【００７８】
制御リソースセットの周波数領域は、サービングセルのシステム帯域幅と同一であってもよい。また、制御リソースセットの周波数領域は、サービングセルのシステム帯域幅に少なくとも基づき与えられてもよい。制御リソースセットの周波数領域は、上位層の信号、および／または、下りリンク制御情報に少なくとも基づき与えられてもよい。
【００７９】
制御リソースセットの時間領域は、上位層のシグナリング、および／または、下りリンク制御情報に少なくとも基づき与えられてもよい。
【００８０】
ある制御リソースセットは、共通制御リソースセット（Ｃｏｍｍｏｎ  ｃｏｎｔｒｏｌ  ｒｅｓｏｕｒｃｅ  ｓｅｔ）であってもよい。共通制御リソースセットは、複数の端末装置１に対して共通に設定される制御リソースセットであってもよい。共通制御リソースセットは、ＭＩＢ、第１のシステム情報、第２のシステム情報、共通ＲＲＣシグナリング、および、セルＩＤの一部または全部に少なくとも基づき与えられてもよい。例えば、第１のシステム情報のスケジューリングのために用いられるＰＤＣＣＨをモニタすることが設定される制御リソースセットの時間リソース、および／または、周波数リソースは、ＭＩＢに少なくとも基づき与えられてもよい。
【００８１】
ある制御リソースセットは、専用制御リソースセット（Ｄｅｄｉｃａｔｅｄ  ｃｏｎｔｒｏｌ  ｒｅｓｏｕｒｃｅ  ｓｅｔ）であってもよい。専用制御リソースセットは、端末装置１のために専用に用いられるように設定される制御リソースセットであってもよい。専用制御リソースセットは、専用ＲＲＣシグナリング、および、Ｃ−ＲＮＴＩの値の一部または全部に少なくとも基づき与えられてもよい。
【００８２】
制御リソースセットは、端末装置１がモニタするＰＤＣＣＨ（または、ＰＤＣＣＨ候補）のセットを含んでもよい。制御リソースセットは、１または複数の探索領域（サーチスペース、ＳＳ：Ｓｅａｒｃｈ  Ｓｐａｃｅ）を含んで構成されてもよい。
【００８３】
ある探索領域は、ある集約レベル（Ａｇｇｒｅｇａｔｉｏｎ  ｌｅｖｅｌ）のＰＤＣＣＨ候補を１つまたは複数含んで構成される。端末装置１は、探索領域に含まれるＰＤＣＣＨ候補を受信し、ＰＤＣＣＨの受信を試みる。ここで、ＰＤＣＣＨ候補は、ブラインド検出候補（ｂｌｉｎｄ  ｄｅｔｅｃｔｉｏｎ  ｃａｎｄｉｄａｔｅ）とも呼称される。
【００８４】
探索領域のセットは、１または複数の探索領域を含んで構成される。ある探索領域のセットは、ＣＳＳ（Ｃｏｍｍｏｎ  Ｓｅａｒｃｈ  Ｓｐａｃｅ、共通探索領域）であってもよい。ＣＳＳは、ＭＩＢ、第１のシステム情報、第２のシステム情報、共通ＲＲＣシグナリング、および、セルＩＤの一部または全部に少なくとも基づき与えられてもよい。ＣＳＳは、第２のＤＣＩフォーマットのモニタリングのために設定されてもよい。ＣＳＳにおいて第１のＤＣＩフォーマットのモニタリングは設定されなくてもよい。ＣＳＳは、第２のＤＣＩフォーマットに対応してもよい。
【００８５】
ある探索領域のセットは、ＵＳＳ（ＵＥ−ｓｐｅｃｉｆｉｃ  Ｓｅａｒｃｈ  Ｓｐａｃｅ、ＵＥ固有探索領域）であってもよい。ＵＳＳは、専用ＲＲＣシグナリング、および、Ｃ−ＲＮＴＩの値の一部または全部に少なくとも基づき与えられてもよい。ＵＳＳは、第１のＤＣＩフォーマット、および／または、第２のＤＣＩフォーマットのモニタリングのために設定されてもよい。ＵＳＳは、第１のＤＣＩフォーマット、および／または、第２のＤＣＩフォーマットに対応してもよい。
【００８６】
共通制御リソースセットは、ＣＳＳおよびＵＳＳの一方または両方を少なくとも含んでもよい。専用制御リソースセットは、ＣＳＳおよびＵＳＳの一方または両方を少なくとも含んでもよい。
【００８７】
探索領域の物理リソースは制御チャネルの構成単位（ＣＣＥ：Ｃｏｎｔｒｏｌ  Ｃｈａｎｎｅｌ  Ｅｌｅｍｅｎｔ）により構成される。ＣＣＥは所定の数のリソース要素グループ（ＲＥＧ：Ｒｅｓｏｕｒｃｅ  Ｅｌｅｍｅｎｔ  Ｇｒｏｕｐ）により構成される。例えば、ＣＣＥは６個のＲＥＧにより構成されてもよい。ＲＥＧは１つのＰＲＢ（Ｐｈｙｓｉｃａｌ  Ｒｅｓｏｕｒｃｅ  Ｂｌｏｃｋ）の１ＯＦＤＭシンボルにより構成されてもよい。つまり、ＲＥＧは１２個のリソースエレメント（ＲＥ：Ｒｅｓｏｕｒｃｅ  Ｅｌｅｍｅｎｔ）を含んで構成されてもよい。ＰＲＢは、単にＲＢ（Ｒｅｓｏｕｒｃｅ  Ｂｌｏｃｋ：リソースブロック）とも呼称される。
【００８８】
ＰＤＳＣＨは、下りリンクデータ（ＤＬ−ＳＣＨ、ＰＤＳＣＨ）を送信するために用いられる。ＰＤＳＣＨは、ランダムアクセスメッセージ２（ランダムアクセスレスポンス）を送信するために少なくとも用いられる。ＰＤＳＣＨは、初期アクセスのために用いられるパラメータを含むシステム情報を送信するために少なくとも用いられる。
【００８９】
ＰＤＳＣＨは、スクランブリング（Ｓｃｒａｍｂｌｉｎｇ）、変調（Ｍｏｄｕｌａｔｉｏｎ）、レイヤマッピング（ｌａｙｅｒ  ｍａｐｐｉｎｇ）、プレコーディング（ｐｒｅｃｏｄｉｎｇ）、および、物理リソースマッピング（Ｍａｐｐｉｎｇ  ｔｏ  ｐｈｙｓｉｃａｌ  ｒｅｓｏｕｒｃｅ）の一部または全部に少なくとも基づき与えられる。端末装置１は、スクランブリング、変調、レイヤマッピング、プレコーディング、および、物理リソースマッピングの一部または全部に少なくとも基づきＰＤＳＣＨが与えられると想定してもよい。
【００９０】
スクランブリングにおいて、コードワードｑのために、ビットのブロックｂ（ｑ）（ｉ）は、スクランブリング系列ｃ（ｑ）（ｉ）に少なくとも基づきスクランブリングされ、ｂ（ｑ）ｓｃ（ｉ）が生成されてもよい。ビットのブロックｂ（ｑ）（ｉ）において、ｉは０からＭ（ｑ）ｂｉｔ−１の範囲の値を示す。Ｍ（ｑ）ｂｉｔは、ＰＤＳＣＨで送信されるコードワードｑのビット数であってもよい。スクランブリング系列ｃ（ｑ）（ｉ）は、疑似ランダム関数（例えば、Ｍ系列やＧｏｌｄ系列等）に少なくとも基づき与えられる系列であってもよい。スクランブリングにおいて、コードワードｑのために、ビットのブロックｂ（ｑ）（ｉ）は、スクランブリング系列ｃ（ｑ）（ｉ）と下記の数式（１）に基づきスクランブリングされ、スクランブルビットのブロックｂ（ｑ）ｓｃ（ｉ）が生成されてもよい。
【数１】
2019087799.tif 000003
【００９１】
ｍｏｄ（Ａ，Ｂ）は、ＡをＢで除算した余りを出力する関数であってもよい。ｍｏｄ（Ａ，Ｂ）は、ＡをＢで除算した余りに対応する値を出力する関数であってもよい。
【００９２】
変調において、コードワードｑのために、スクランブルビットのブロックｂ（ｑ）ｓｃ（ｉ）が所定の変調方式に基づき変調され、複素数値変調シンボルのブロックｄ（ｑ）（ｉ）が生成されてもよい。所定の変調方式は、少なくともＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭ、および、２５６ＱＡＭの一部または全部を少なくとも含んでもよい。なお、所定の変調方式は、ＰＤＳＣＨをスケジューリングするＤＣＩに少なくとも基づき与えられてもよい。
【００９３】
レイヤマッピングにおいて、それぞれのコードワードのための複素数値変調シンボルのブロックｄ（ｑ）（ｉ）が、所定のマッピング手順に基づき１または複数のレイヤにマッピングされ、複素数値変調シンボルのブロックｘ（ｉ）が生成されてもよい。複素数値変調シンボルのブロックｘ（ｉ）は、ｘ（ｉ）＝［ｘ（０）（ｉ）．．．ｘ（ｖ−１）（ｉ）］であってもよい。ここで、ｖはＰＤＳＣＨのためのレイヤ数である。
【００９４】
プレコーディングにおいて、複素数値変調シンボルのブロックｘ（ｉ）は所定のプレコーディングが施されてもよい。プレコーディングにおいて、複素数値変調シンボルのブロックｘ（ｉ）は、ｖ個のアンテナポートのための複素数値変調シンボルのブロックｘ（ｉ）に変換されてもよい。ＰＤＳＣＨのためのアンテナポート数とＰＤＳＣＨのためのレイヤ数は同一であってもよい。
【００９５】
物理リソースへのマッピング（物理リソースマッピング）において、アンテナポートｐのための複素数値変調シンボルのブロックｘ（ｐ）（ｉ）は、下記の要素Ａから要素Ｅの一部または全部を少なくとも満たすリソースエレメントを除いて、ＰＤＳＣＨのために割り当てられるリソースブロックのリソースエレメント（ｋ、ｌ）から周波数を優先してマップされてもよい。ここで、周波数を優先してマップとは、リソースエレメント（ｋ、ｌ）のシンボルｌのｋからｋ＋Ｍ（Ｍは所定の値）、シンボルｌ＋１のｋからｋ＋Ｍ、・・・、シンボルｌ＋Ｎ（Ｎは所定の値）のｋからｋ＋Ｍというようにマップしていくことであってもよい。物理リソースマッピングにおいて、アンテナポートｐのための複素数値変調シンボルのブロックｘ（ｐ）（ｉ）は、下記の要素Ａから要素Ｅの一部または全部を少なくとも満たすリソースエレメントを除いて、リソースエレメント（ｋ、ｌ）から時間を優先してマップされてもよい。ここで、時間を優先してマップとは、リソースエレメント（ｋ、ｌ）のサブキャリアインデックス（リソースエレメントインデックス）ｋのシンボルｌからｌ＋Ｎ（Ｎは所定の値）、サブキャリアインデックスｋ＋１のシンボルｌからｌ＋Ｎ、・・・、サブキャリアインデックスｋ＋Ｍ（Ｍは所定の値）のシンボルｌからｌ＋Ｎ、というようにマップしていくことであってもよい。
要素Ａ）ＰＤＳＣＨに関連するＤＬ  ＤＭＲＳがマッピングされるリソースエレメント
要素Ｂ）該ＤＬ  ＤＭＲＳに関連するＤＬ  ＰＴＲＳがマッピングされるリソースエレメント
要素Ｃ）ＣＳＩ−ＲＳが設定される、および／または、ＣＳＩ−ＲＳが送信されるリソースエレメント
要素Ｄ）ＳＳ  ｂｌｏｃｋが設定される、および／または、ＳＳ  ｂｌｏｃｋが送信されるリソースエレメント
要素Ｅ）予約リソース
【００９６】
ＰＤＳＣＨのために割り当てられるリソースブロック（ＰＤＳＣＨがマップされるリソースブロック）は、ＤＣＩフォーマットに含まれるリソース割り当て情報フィールドに少なくとも基づき与えられる。リソース割り当て情報フィールドが示すリソースブロックの詳細は後述される。
【００９７】
図１において、下りリンクの無線通信では、以下の下りリンク物理シグナルが用いられる。下りリンク物理シグナルは、上位層から出力された情報を送信するために使用されなくてもよいが、物理層によって使用される。
・同期信号（ＳＳ：Ｓｙｎｃｈｒｏｎｉｚａｔｉｏｎ  ｓｉｇｎａｌ）
・ＤＬ  ＤＭＲＳ（ＤｏｗｎＬｉｎｋ  ＤｅＭｏｄｕｌａｔｉｏｎ  Ｒｅｆｅｒｅｎｃｅ  Ｓｉｇｎａｌ）
・Ｓｈａｒｅｄ  ＲＳ（Ｓｈａｒｅｄ  Ｒｅｆｅｒｅｎｃｅ  Ｓｉｇｎａｌ）
・ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）
・ＤＬ  ＰＴＲＳ（ＤｏｗｎＬｉｎｋ  Ｐｈａｓｅ  Ｔｒａｃｋｉｎｇ  Ｒｅｆｅｒｅｎｃｅ  Ｓｉｇｎａｌ）
・ＴＲＳ（Ｔｒａｃｋｉｎｇ  Ｒｅｆｅｒｅｎｃｅ  Ｓｉｇｎａｌ）
【００９８】
同期信号は、端末装置１が下りリンクの周波数領域、および／または、時間領域の同期をとるために用いられる。同期信号は、ＰＳＳ（Ｐｒｉｍａｒｙ  Ｓｙｎｃｈｒｏｎｉｚａｔｉｏｎ  Ｓｉｇｎａｌ）、および、ＳＳＳ（Ｓｅｃｏｎｄａｒｙ  Ｓｙｎｃｈｒｏｎｉｚａｔｉｏｎ  Ｓｉｇｎａｌ）を含む。
【００９９】
ＳＳブロック（ＳＳ／ＰＢＣＨブロック）は、ＰＳＳ、ＳＳＳ、および、ＰＢＣＨの一部または全部を少なくとも含んで構成される。ＳＳブロックに含まれるＰＳＳ、ＳＳＳ、および、ＰＢＣＨの一部または全部のそれぞれのアンテナポートは同一であってもよい。ＳＳブロックに含まれるＰＳＳ、ＳＳＳ、およびＰＢＣＨの一部または全部は、連続するＯＦＤＭシンボルにマップされてもよい。ＳＳブロックに含まれるＰＳＳ、ＳＳＳ、および、ＰＢＣＨの一部または全部のそれぞれのＣＰ設定は同一であってもよい。ＳＳブロックに含まれるＰＳＳ、ＳＳＳ、および、ＰＢＣＨの一部または全部のそれぞれのサブキャリア間隔の設定μは同一であってもよい。
【０１００】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。以下、ＰＢＣＨと、該ＰＢＣＨと関連するＤＬ  ＤＭＲＳが共に送信されることは、短にＰＢＣＨが送信されると呼称される。以下、ＰＤＣＣＨと、該ＰＤＣＣＨと関連するＤＬ  ＤＭＲＳが共に送信されることは、単にＰＤＣＣＨが送信されると呼称される。以下、ＰＤＳＣＨと、該ＰＤＳＣＨと関連するＤＬ  ＤＭＲＳが共に送信されることは、単にＰＤＳＣＨが送信されると呼称される。ＰＢＣＨと関連するＤＬ  ＤＭＲＳは、ＰＢＣＨ用ＤＬ  ＤＭＲＳとも呼称される。ＰＤＳＣＨと関連するＤＬ  ＤＭＲＳは、ＰＤＳＣＨ用ＤＬ  ＤＭＲＳとも呼称される。ＰＤＣＣＨと関連するＤＬ  ＤＭＲＳは、ＰＤＣＣＨと関連するＤＬ  ＤＭＲＳとも呼称される。
【０１０１】
Ｓｈａｒｅｄ  ＲＳは、少なくともＰＤＣＣＨの送信に関連してもよい。Ｓｈａｒｅｄ  ＲＳは、ＰＤＣＣＨに多重されてもよい。端末装置１は、ＰＤＣＣＨの伝搬路補正を行うためにＳｈａｒｅｄ  ＲＳを使用してよい。以下、ＰＤＣＣＨと、ＰＤＣＣＨと関連するＳｈａｒｅｄ  ＲＳが共に送信されることは、単にＰＤＣＣＨが送信されるとも呼称される。
【０１０２】
ＤＬ  ＤＭＲＳは、端末装置１に個別に設定される参照信号であってもよい。ＤＬ  ＤＭＲＳの系列は、端末装置１に個別に設定されるパラメータに少なくとも基づいて与えられてもよい。ＤＬ  ＤＭＲＳの系列は、ＵＥ固有の値（例えば、Ｃ−ＲＮＴＩ等）に少なくとも基づき与えられてもよい。ＤＬ  ＤＭＲＳは、ＰＤＣＣＨ、および／または、ＰＤＳＣＨのために個別に送信されてもよい。一方、Ｓｈａｒｅｄ  ＲＳは、複数の端末装置１に共通に設定される参照信号であってもよい。Ｓｈａｒｅｄ  ＲＳの系列は、端末装置１に個別に設定されるパラメータとは関係なく与えられてもよい。例えば、Ｓｈａｒｅｄ  ＲＳの系列は、スロットの番号、ミニスロットの番号、および、セルＩＤ（ｉｄｅｎｔｉｔｙ）の少なくとも一部に基づいて与えられてもよい。Ｓｈａｒｅｄ  ＲＳは、ＰＤＣＣＨ、および／または、ＰＤＳＣＨが送信されているか否かに関わらず送信される参照信号であってもよい。
【０１０３】
ＣＳＩ−ＲＳは、チャネル状態情報を算出するために少なくとも用いられる信号であってもよい。端末装置によって想定されるＣＳＩ−ＲＳのパターンは、少なくとも上位層のパラメータにより与えられてもよい。
【０１０４】
ＰＴＲＳは、位相雑音の補償のために少なくとも用いられる信号であってもよい。端末装置によって想定されるＰＴＲＳのパターンは、上位層のパラメータ、および／または、ＤＣＩに少なくとも基づき与えられてもよい。
【０１０５】
ＤＬ  ＰＴＲＳは、１または複数のＤＬ  ＤＭＲＳに用いられるアンテナポートを少なくとも含むＤＬ  ＤＭＲＳグループに関連してもよい。ＤＬ  ＰＴＲＳとＤＬ  ＤＭＲＳグループが関連することは、ＤＬ  ＰＴＲＳのアンテナポートとＤＬ  ＤＭＲＳグループに含まれるアンテナポートの一部または全部が少なくともＱＣＬであることであってもよい。ＤＬ  ＤＭＲＳグループは、ＤＬ  ＤＭＲＳグループに含まれるＤＬ  ＤＭＲＳにおいて最も小さいインデックスのアンテナポートに少なくとも基づき識別されてもよい。
【０１０６】
ＴＲＳは、時間、および／または、周波数の同期のために少なくとも用いられる信号であってもよい。端末装置によって想定されるＴＲＳのパターンは、上位層のパラメータ、および／または、ＤＣＩに少なくとも基づき与えられてもよい。
【０１０７】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて物理信号とも呼称される。下りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【０１０８】
ＢＣＨ、ＵＬ−ＳＣＨおよびＤＬ−ＳＣＨは、トランスポートチャネルである。媒体アクセス制御（ＭＡＣ：Ｍｅｄｉｕｍ  Ａｃｃｅｓｓ  Ｃｏｎｔｒｏｌ）層で用いられるチャネルはトランスポートチャネルと呼称される。ＭＡＣ層で用いられるトランスポートチャネルの単位は、トランスポートブロック（ＴＢ）またはＭＡＣ  ＰＤＵとも呼称される。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に変調処理が行なわれる。
【０１０９】
基地局装置３と端末装置１は、上位層（ｈｉｇｈｅｒ  ｌａｙｅｒ）において上位層の信号をやり取り（送受信）する。例えば、基地局装置３と端末装置１は、無線リソース制御（ＲＲＣ：Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：Ｒａｄｉｏ  Ｒｅｓｏｕｒｃｅ  Ｃｏｎｔｒｏｌ  ｍｅｓｓａｇｅ、ＲＲＣ  ｉｎｆｏｒｍａｔｉｏｎ：Ｒａｄｉｏ  Ｒｅｓｏｕｒｃｅ  Ｃｏｎｔｒｏｌ  ｉｎｆｏｒｍａｔｉｏｎとも称される）を送受信してもよい。また、基地局装置３と端末装置１は、ＭＡＣ層において、ＭＡＣ  ＣＥ（Ｃｏｎｔｒｏｌ  Ｅｌｅｍｅｎｔ）を送受信してもよい。ここで、ＲＲＣシグナリング、および／または、ＭＡＣ  ＣＥを、上位層の信号（ｈｉｇｈｅｒ  ｌａｙｅｒ  ｓｉｇｎａｌｉｎｇ）とも称する。
【０１１０】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層のパラメータは、サービングセル内における複数の端末装置１に対して共通のシグナリング、または、ある端末装置１に対して専用のシグナリングを用いて送信されてもよい。ＵＥ固有な上位層のパラメータは、ある端末装置１に対して専用のシグナリングを用いて送信されてもよい。専用ＲＲＣシグナリングを含むＰＤＳＣＨは、第１の制御リソースセット内のＰＤＣＣＨによってスケジュールされてもよい。
【０１１１】
ＢＣＣＨ（Ｂｒｏａｄｃａｓｔ  Ｃｏｎｔｒｏｌ  ＣＨａｎｎｅｌ）、ＣＣＣＨ（Ｃｏｍｍｏｎ  Ｃｏｎｔｒｏｌ  ＣＨａｎｎｅｌ）、および、ＤＣＣＨ（Ｄｅｄｉｃａｔｅｄ  Ｃｏｎｔｒｏｌ  ＣＨａｎｎｅｌ）は、ロジカルチャネルである。例えば、ＢＣＣＨは、ＭＩＢを送信するために用いられる上位層のチャネルである。また、ＣＣＣＨ（Ｃｏｍｍｏｎ  Ｃｏｎｔｒｏｌ  ＣＨａｎｎｅｌ）は、複数の端末装置１において共通な情報を送信するために用いられる上位層のチャネルである。ここで、ＣＣＣＨは、例えば、ＲＲＣ接続されていない端末装置１のために用いられてもよい。また、ＤＣＣＨ（Ｄｅｄｉｃａｔｅｄ  Ｃｏｎｔｒｏｌ  ＣＨａｎｎｅｌ）は、端末装置１に専用の制御情報（ｄｅｄｉｃａｔｅｄ  ｃｏｎｔｒｏｌ  ｉｎｆｏｒｍａｔｉｏｎ）を送信するために少なくとも用いられる上位層のチャネルである。ここで、ＤＣＣＨは、例えば、ＲＲＣ接続されている端末装置１のために用いられてもよい。
【０１１２】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【０１１３】
トランスポートチャネルにおけるＵＬ−ＳＣＨは、物理チャネルにおいてＰＵＳＣＨにマップされる。トランスポートチャネルにおけるＤＬ−ＳＣＨは、物理チャネルにおいてＰＤＳＣＨにマップされる。トランスポートチャネルにおけるＢＣＨは、物理チャネルにおいてＰＢＣＨにマップされる。
【０１１４】
以下、本実施形態の一態様に係る初期接続の方法例を説明する。
【０１１５】
図６は、本実施形態の一態様に係るＳＳブロックのマッピングの一例を示した図である。図６において横軸は、周波数領域におけるリソースブロックのインデックスを示す。周波数領域におけるリソースブロックのインデックスは、単にリソースブロックインデックスとも呼称される。図６に示されるように、周波数領域におけるＳＳブロックは、リソースブロックインデックスの参照地点（例えば、リソースブロック＃０）からサブキャリア数Ｎｏｆｆｓｅｔだけオフセットされてマップされる。Ｎｏｆｆｓｅｔは、０に設定されてもよい。Ｎｏｆｆｓｅｔは、０以外の値に設定されてもよい。Ｎｏｆｆｓｅｔは、サブキャリアオフセット（ｓｕｂｃａｒｒｉｅｒ  ｏｆｆｓｅｔ）とも呼称される。Ｎｏｆｆｓｅｔは、ＳＳブロックに含まれるＰＢＣＨに含まれるＭＩＢの情報フィールドに基づき与えられてもよい。また、リソースブロックインデックスの参照地点から所定数のリソースブロックの範囲が、周波数領域における下りリンク初期活性化キャリアバンドパート（Ｄｏｗｎｌｉｎｋ  ｉｎｉｔｉａｌ  ａｃｔｉｖｅ  ｃａｒｒｉｅｒ  ｂａｎｄｗｉｄｔｈ  ｐａｒｔ）として設定されてもよい。図６において、周波数領域における下りリンク初期活性化キャリアバンドパートは、リソースブロック＃０からリソースブロック＃２６に設定されている。
【０１１６】
サブキャリアオフセットＮｏｆｆｓｅｔは、リソースグリッドオフセットＮｏｆｆｓｅｔ＿ＲＢ＿ｇｒｉｄ、および／または、リソースブロックインデックスオフセットＮｏｆｆｓｅｔ＿ＲＢ＿ｉｎｄｅｘに少なくとも基づき与えられてもよい。該リソースグリッドオフセットＮｏｆｆｓｅｔ＿ＲＢ＿ｇｒｉｄは、周波数領域において、ＳＳブロックがマ
ッピングされる先頭のリソースブロックにおける先頭のサブキャリアインデックスの値を示してもよい。該リソースグリッドオフセットＮｏｆｆｓｅｔ＿ＲＢ＿ｇｒｉｄは、ＳＳブロックとリソースグリッドの間のサブキャリア単位のずれを示してもよい。該リソースブロックインデックスオフセットＮｏｆｆｓｅｔ＿ＲＢ＿ｉｎｄｅｘは、周波数領域において、ＳＳブロックがマッピングされる先頭のリソースブロックに対する、リソースブロックインデックスの参照地点からのずれを示してもよい。該リソースグリッドオフセットＮｏｆｆｓｅｔ＿ＲＢ＿ｇｒｉｄは、ＳＳブロックに含まれるＰＢＣＨに含まれるＭＩＢの情報フィールドに基づき与えられてもよい。該リソースブロックインデックスオフセットＮｏｆｆｓｅｔ＿ＲＢ＿ｉｎｄｅｘは、ＳＳブロックに含まれるＰＢＣＨに含まれるＭＩＢの情報フィールドに基づき与えられてもよい。
【０１１７】
下りリンク初期活性化キャリアバンドパートは、ＭＩＢに少なくとも基づき与えられる制御リソースセットの帯域に少なくとも基づき与えられてもよい。下りリンク初期活性化キャリアバンドパートの帯域は、ＭＩＢに少なくとも基づき与えられる制御リソースセットの帯域と同一であってもよい。
【０１１８】
端末装置１は、ＳＳブロックに含まれるＰＢＣＨに含まれるサブキャリアオフセットＮｏｆｆｓｅｔ、および／または、該ＳＳブロックのマッピングに少なくとも基づき、下りリンク初期活性化キャリアバンドパートを特定することができる。端末装置１は、下りリンク初期活性化キャリアバンドパートを下りリンクアクティブキャリアバンドパートに設定し、下りリンク初期活性化キャリアバンドパートにおいてＰＤＣＣＨをモニタすることができる。該ＰＤＣＣＨは、第１のシステム情報のスケジューリングに少なくとも用いられてもよい。該ＰＤＣＣＨに付加されるＣＲＣ系列は、ＳＩ−ＲＮＴＩ（Ｓｙｓｔｅｍ  Ｉｎｆｏｒｍａｔｉｏｎ  −  Ｒａｄｉｏ  Ｎｅｔｗｏｒｋ  Ｔｅｍｐｏｒａｒｙ  Ｉｄｅｎｔｉｆｉｅｒ）に少なくとも基づきスクランブルされてもよい。
【０１１９】
端末装置１は、上りリンクアクティブキャリアバンドパートにおいてＰＲＡＣＨの送信を行う。第１のシステム情報は、上りリンクにおいてＰＲＡＣＨを送信するための物理リソースを示す情報を含んでもよい。また、第１のシステム情報は、周波数領域における上りリンク初期活性化キャリアバンドパート（Ｕｐｌｉｎｋ  ｉｎｉｔｉａｌ  ａｃｔｉｖｅ  ｃａｒｒｉｅｒ  ｂａｎｄｗｉｄｔｈ  ｐａｒｔ）を示す情報を含んでもよい。下りリンク初期活性化キャリアバンドパート、および、上りリンク初期活性化キャリアバンドパートは、初期活性化キャリアバンドパートとも呼称される。ＰＲＡＣＨが送信される場合、上りリンク初期活性化アクティブキャリアバンドパートが上りリンクアクティブキャリアバンドパートに設定されてもよい。
【０１２０】
端末装置１は、第１の下りリンクキャリアバンドパート（Ｆｉｒｓｔ  ｄｏｗｎｌｉｎｋ  ｃａｒｒｉｅｒ  ｂａｎｄｗｉｄｔｈ  ｐａｒｔ）を下りリンクアクティブキャリアバンドパートに設定し、ＰＤＣＣＨをモニタすることができる。該ＰＤＣＣＨは、ランダムアクセスレスポンス（メッセージ２  ＰＤＳＣＨ）をスケジューリングするＰＤＣＣＨであってもよい。該ＰＤＣＣＨに付加されるＣＲＣ系列は、ＲＡ−ＲＮＴＩ（Ｒａｎｄｏｍ  Ａｃｃｅｓｓ  −  Ｒａｄｉｏ  Ｎｅｔｗｏｒｋ  Ｔｅｍｐｏｒａｒｙ  Ｉｄｅｎｔｉｆｉｅｒ）によりスクランブルされてもよい。ＲＡ−ＲＮＴＩは、ＳＳブロックの時間インデックスに少なくとも基づき与えられてもよい。ランダムアクセスレスポンスは、ランダムアクセスレスポンスグラントを含んで送信される。ランダムアクセスレスポンスグラントは、ランダムアクセスレスポンスグラントＭＡＣ  ＣＥに含まれて送信される。メッセージ２  ＰＤＳＣＨは、ランダムアクセスレスポンスグラントＭＡＣ  ＣＥを含んでもよい。
【０１２１】
第１の下りリンクキャリアバンドパートは、第１のシステム情報に少なくとも基づき与えられてもよい。第１のシステム情報に第１の下りリンクキャリアバンドパートに関連する情報が含まれない場合、第１の下りリンクキャリアバンドパートは下りリンク初期活性化キャリアバンドパートであってもよい。第１のシステム情報に第１の下りリンクキャリアバンドパートに関連する情報が含まれない場合、端末装置１は下りリンクアクティブキャリアバンドパートの設定を変更しなくてもよい。
【０１２２】
端末装置１は、ランダムアクセスレスポンスグラントに少なくとも基づきメッセージ３  ＰＵＳＣＨを送信する。メッセージ３  ＰＵＳＣＨは、ＲＲＣ  ｃｏｎｎｅｃｔｉｏｎ  ｒｅｑｕｅｓｔを含んでもよい。
【０１２３】
端末装置１は、第１の下りリンクキャリアバンドパートにおいて、ＰＤＣＣＨをモニタすることができる。該ＰＤＣＣＨは、メッセージ４  ＰＤＳＣＨのスケジューリングに用いられてもよい。メッセージ４  ＰＤＳＣＨは、衝突解決ＭＡＣ  ＣＥ（Ｃｏｎｔｅｎｔｉｏｎ  ｒｅｓｏｌｕｔｉｏｎ  ＭＡＣ  ＣＥ）を含んでもよい。
【０１２４】
以下、端末装置１におけるキャリアバンドパートアダプテーション（Ｃａｒｒｉｅｒ  Ｂａｎｄｗｉｄｔｈ  ｐａｒｔ  ａｄａｐｔａｔｉｏｎ）の説明を行う。キャリアバンドアダプテーションは、アクティブキャリアバンドパートの設定を変更する動作を含む。キャリアバンドパートアダプテーションは、ＲＦ部３２の設定の変更、および／または、ベースバンド部３３の設定の変更を少なくとも含んでもよい。
【０１２５】
端末装置１は、専用ＲＲＣシグナリングに少なくとも基づき、１つの下りリンクデフォルトキャリアバンドパート（Ｄｏｗｎｌｉｎｋ  ｄｅｆａｕｌｔ  ｃａｒｒｉｅｒ  ｂａｎｄｗｉｄｔｈ  ｐａｒｔ）を設定してもよい。下りリンクデフォルトキャリアバンドパートを示す専用ＲＲＣシグナリングを受信しない場合、下りリンク初期活性化キャリアバンドパートが下りリンクデフォルトキャリアバンドパートに設定されてもよい。下りリンクデフォルトキャリアバンドパートを示す情報を少なくとも含む専用ＲＲＣシグナリングを受信せず、かつ、第１のシステム情報に第１の下りリンクキャリアバンドパートを示す情報が含まれない場合、下りリンク初期活性化キャリアバンドパートが下りリンクデフォルトキャリアバンドパートに設定されてもよい。下りリンクデフォルトキャリアバンドパートを示す情報を少なくとも含む専用ＲＲＣシグナリングを受信せず、かつ、第１のシステム情報に第１の下りリンクキャリアバンドパートを示す情報が含まれる場合、第１の下りリンクキャリアバンドパートが下りリンクデフォルトキャリアバンドパートに設定されてもよい。
【０１２６】
端末装置１は、専用ＲＲＣシグナリングに少なくとも基づき、１または複数の下りリンクキャリアバンドパートが設定されてもよい。また、端末装置１は、専用ＲＲＣシグナリングに少なくとも基づき、１つのサービングセルに対して、１または複数の下りリンクキャリアバンドパートが設定されてもよい。
【０１２７】
図７は、本実施形態の一態様に係るキャリアバンドパートアダプテーションの実施例を示す図である。図７に示される一例では、サービングセル５００において、キャリアバンドパート５１１、５１２、および、５１３が設定される。また、キャリアバンドパート５１１は、リソースブロックインデックス５０１からリソースブロックインデックス５０２の間の周波数帯域によって与えられる。また、キャリアバンドパート５１２は、リソースブロックインデックス５０３からリソースブロックインデックス５０４の間の周波数帯域によって与えられる。また、キャリアバンドパート５１３は、リソースブロックインデックス５０５からリソースブロックインデックス５０６の間の周波数帯域によって与えられる。ここで、キャリアバンドパート５１１が下りリンクデフォルトキャリアバンドパートに設定されている。
【０１２８】
図７において、端末装置１は、下りリンクアクティブキャリアバンドパートに設定されるキャリアバンドパート５１１においてＰＤＣＣＨ５２１を受信する。次いで、該ＰＤＣＣＨ５２１に含まれるＤＣＩフォーマットに含まれるＣＢＰ指示情報フィールドに少なくとも基づき、端末装置１はキャリアバンドパート５１２を下りリンクアクティブキャリアバンドパートに設定する。次いで、端末装置１は、該キャリアバンドパート５１２においてＰＤＳＣＨ５２２を受信する。ここで、該ＰＤＣＣＨ５２１に含まれる該ＤＣＩフォーマットは、第１のＤＣＩフォーマットであってもよい。
【０１２９】
端末装置１は、ＰＤＣＣＨ５２１を受信してからＰＤＳＣＨ５２２を受信するまでの間に、下りリンクアクティブキャリアバンドパートの設定をキャリアバンドパート５１１からキャリアバンドパート５１２に変更する。
【０１３０】
端末装置１がキャリアバンドパート５１２を下りリンクアクティブキャリアバンドパートに設定した場合、タイマー５３１がスタート（ｓｔａｒｔ）する。キャリアバンドパート５１２におけるＰＤＳＣＨをスケジューリングするＰＤＣＣＨを受信することなく、タイマー５３１が満了した場合、端末装置１は下りリンクデフォルトキャリアバンドパートを下りリンクアクティブキャリアバンドパートに設定してもよい。
【０１３１】
次いで、端末装置１は、キャリアバンドパート５１２において、ＰＤＣＣＨ５２３およびＰＤＳＣＨ５２４を受信する。下りリンクアクティブキャリアバンドパートにおけるＰＤＳＣＨ（ここでは、ＰＤＳＣＨ５２４）を受信した場合、タイマー５３１をリスタート（ｒｅｓｔａｒｔ）してもよい。
【０１３２】
次いで、端末装置１は、キャリアバンドパート５１２において、ＰＤＣＣＨ５２５を受信し、該ＰＤＣＣＨ５２５に含まれるＤＣＩフォーマットに含まれるＣＢＰ指示情報フィールドに少なくとも基づき、下りリンクアクティブキャリアバンドパートの設定をキャリアバンドパート５１２からキャリアバンドパート５１３に変更する。次いで、端末装置１は、該キャリアバンドパート５１３においてＰＤＳＣＨ５２６を受信する。ここで、該ＰＤＣＣＨ５２５に含まれる該ＤＣＩフォーマットは、第１のＤＣＩフォーマットであってもよい。
【０１３３】
端末装置１がキャリアバンドパート５１３を下りリンクアクティブキャリアバンドパートに設定した場合、タイマー５３２がスタート（ｓｔａｒｔ）する。キャリアバンドパート５１３におけるＰＤＳＣＨをスケジューリングするＰＤＣＣＨを受信することなく、タイマー５３２が満了した場合、端末装置１は下りリンクデフォルトキャリアバンドパートを下りリンクアクティブキャリアバンドパートに変更してもよい。
【０１３４】
該タイマー５３２が満了した場合、端末装置１は下りリンクデフォルトキャリアバンドパートを下りリンクアクティブキャリアバンドパートに設定する。次いで、端末装置１は、下りリンクデフォルトキャリアバンドパートに設定されているキャリアバンドパート５１１においてＰＤＣＣＨ５２７を受信する。
【０１３５】
タイマー５３１、および、タイマー５３２は、端末装置１が下りリンクアクティブキャリアバンドパートの設定を下りリンクデフォルトキャリアバンドパートに変更するか否かを決定するタイマーである。以下、タイマー５３１、および、タイマー５３２は、単にタイマーとも呼称される。下りリンクデフォルトキャリアバンドパートを下りリンクアクティブキャリアバンドパートに設定するか否かは、タイマーに少なくとも基づき与えられてもよい。
【０１３６】
図８は、本実施形態の一態様に係るタイマーの動作例を示す図である。図８において、下りリンクデフォルトキャリアバンドバートはキャリアバンドパート５１１であってもよく、下りリンクキャリアバンドパート以外の下りリンクキャリアバンドパートはキャリアバンドパート５１２または５１３であってもよい。まず、ステップ１において、下りリンクデフォルトキャリアバンドパート以外のキャリアバンドパートが下りリンクアクティブキャリアバンドパートに設定された場合、該下りリンクデフォルトキャリアバンドパート以外のキャリアバンドパートのためのタイマーがスタートする（ステップ２）。ここで、タイマーがスタートすることは、タイマーの値が初期値に設定されることであってもよい。該初期値は、キャリアバンドパートごとに設定されてもよい。つまり、下りリンクアクティブキャリアバンドパートに設定されるキャリアバンドパートに対応するタイマーの初期値によって、タイマーが初期化されてもよい。タイマーがスタートすることは、キャリアバンドパートのためのタイマーをスタートし、下りリンクアクティブキャリアバンドパートの設定が該キャリアバンドパートに変更される前のキャリアバンドパートのためのタイマーを破棄することであってもよい。
【０１３７】
ステップ３において、タイマーが満了する前に、ＰＤＳＣＨをスケジューリングするＰＤＣＣＨを受信した場合、ステップ４に移行する。ステップ３において、タイマーが満了する前に、ＰＤＳＣＨをスケジューリングするＰＤＣＣＨを受信しなかった場合、ステップ５に移行する。
【０１３８】
ステップ４において、受信した該ＰＤＣＣＨがスケジューリングする該ＰＤＳＣＨが、下りリンクアクティブキャリアバンドパートにおけるＰＤＳＣＨである場合、タイマーがリスタートし、ステップ３へ移行する。タイマーがリスタートすることは、下りリンクアクティブキャリアバンドパートのためにスタートしているタイマーの値が初期値に設定されることであってもよい。
【０１３９】
ステップ４において、受信した該ＰＤＣＣＨがスケジューリングする該ＰＤＳＣＨが、下りリンクアクティブキャリアバンドパート以外のキャリアバンドパートにおけるＰＤＳＣＨである場合、ステップ２に移行する。ステップ４において、該ＰＤＣＣＨに含まれるＤＣＩフォーマットに含まれるＣＢＰ指示情報フィールドに少なくとも基づき、下りリンクアクティブキャリアバンドパートに設定される、下りリンクデフォルトキャリアバンドパート以外のキャリアバンドパートが示されてもよい。
【０１４０】
ステップ５において、下りリンクデフォルトキャリアバンドパートが下りリンクアクティブキャリアバンドパートに設定され、ステップ１に戻る。
【０１４１】
下りリンクデフォルトキャリアバンドパートは、タイマーが満了した場合に下りリンクアクティブキャリアバンドパートに設定されるキャリアバンドパートであってもよい。下りリンクデフォルトキャリアバンドパートが下りリンクアクティブキャリアバンドパートに設定される場合、タイマーがスタートしなくてもよい。下りリンクデフォルトキャリアバンドパートに対して、タイマー、および、タイマーの初期値が設定されなくてもよい。下りリンクデフォルトキャリアバンドパートではない、かつ、専用ＲＲＣシグナリングにより設定される、キャリアバンドパートそれぞれに対して、タイマー、および／または、タイマーの初期値が設定されてもよい（または、関連してもよい）。下りリンクデフォルトキャリアバンドパートではない、かつ、専用ＲＲＣシグナリングにより設定される、キャリアバンドパートは第２の下りリンクキャリアバンドパートとも呼称される。つまり、第２の下りリンクキャリアバンドパートは、下りリンク初期活性化キャリアバンドパート、第１のキャリアバンドパート、および、下りリンクデフォルトキャリアバンドパート以外のキャリアバンドパートの総称である。
【０１４２】
第２の下りリンクキャリアバンドパートは、サービングセル５００におけるキャリアバンドパート５１２と、該サービングセル５００におけるキャリアバンドパート５１３とを少なくとも含む。
【０１４３】
サービングセル５００における下りリンクデフォルトキャリアバンドパートにおける制御リソースセットにおいて、サービングセル５００に対する第１の下りリンクＤＣＩフォーマットが検出された場合、該第１の下りリンクＤＣＩフォーマットに含まれるＣＢＰ指示情報フィールドに少なくとも基づきサービングセル５００におけるキャリアバンドパート５１２が下りリンクアクティブキャリアバンドパートに設定されてもよい。該キャリアバンドパート５１２は、ＣＢＰ指示情報フィールドにより示されるキャリアバンドパートであってもよい。該第１の下りリンクＤＣＩフォーマットに含まれるリソース割り当て情報フィールドは、周波数領域において該キャリアバンドパート５１２に含まれるリソースブロックのうち、どのリソースブロックのセットに該ＰＤＳＣＨがマップされるかを示してもよい。該第１の下りリンクＤＣＩフォーマットに含まれる該リソース割り当て情報フィールドのサイズは、周波数領域において該キャリアバンドパート５１２に含まれるリソースブロックの数に少なくとも基づき与えられてもよい。該リソース割り当て情報フィールドのサイズは、サービングセル５００における１または複数の下りリンクキャリアバンドパートのそれぞれに対するリソース割り当て情報フィールドのサイズの計算値の最大値に設定されてもよい。該リソース割り当て情報フィールドのサイズは、周波数領域において、該サービングセルにおける１または複数の下りリンクキャリアバンドパートのそれぞれに含まれるＲＢＧの最大数に基づいて設定されてもよい。すなわち、該リソース割り当て情報フィールドのサイズを計算するためのＮＲＢＧ＿ＣＢＰは、周波数領域において、サービングセル５００に設定される１または複数の下りリンクキャリアバンドパートのそれぞれに含まれるＲＢＧの数の最大値であってもよい。該リソース割り当て情報フィールドのサイズは、周波数領域において、該サービングセル５００に設定される１または複数の下りリンクキャリアバンドパートのそれぞれに含まれるリソースブロックの数の最大値に基づいて設定されてもよい。すなわち、該リソース割り当て情報フィールドのサイズを計算するためのＮＲＢ＿ＣＢＰは、周波数領域において、サービングセル５００に設定される１または複数の下りリンクキャリアバンドパートのそれぞれに含まれるリソースブロックの数の最大値であってもよい。１または複数の下りリンクキャリアバンドパートのそれぞれに対して、ＲＢＧサイズＮＲＢＧが設定されてもよい。該第１の下りリンクＤＣＩフォーマットに含まれる該リソース割り当て情報フィールドのサイズは、専用ＲＲＣシグナリングに少なくとも基づき与えられてもよい。
【０１４４】
第１のＤＣＩフォーマットに含まれるリソース割り当て情報フィールドのサイズは、サービングセルごとに与えられてもよい。
【０１４５】
ＦＤＤモードにおいて、サービングセル５００における下りリンクデフォルトキャリアバンドパートにおける制御リソースセットにおいて、サービングセル５００に対する第１の上りリンクＤＣＩフォーマットが検出された場合、下りリンクアクティブキャリアバンドパートを変更しなくてもよい。
【０１４６】
ＴＤＤモードにおいて、サービングセル５００における下りリンクデフォルトキャリアバンドパートにおける制御リソースセットにおいて、サービングセル５００に対する第１の上りリンクＤＣＩフォーマットが検出された場合、下りリンクアクティブキャリアバンドパートを変更しなくてもよい。
【０１４７】
サービングセル５００における下りリンクデフォルトキャリアバンドパートにおける制御リソースセットにおいて、サービングセル５００に対する第２の下りリンクＤＣＩフォーマットが検出された場合、該第２の下りリンクＤＣＩフォーマットに含まれるリソース割り当て情報は、周波数領域において該下りリンクデフォルトキャリアバンドパートに含まれるリソースブロックのうち、どのリソースブロックのセットに該ＰＤＳＣＨがマップされるかを示してもよい。該第２の下りリンクＤＣＩフォーマットに含まれる該リソース割り当て情報フィールドのサイズは、該下りリンクデフォルトキャリアバンドパートに含まれるリソースブロックの数に少なくとも基づき与えられてもよい。
【０１４８】
ＦＤＤモードにおいて、サービングセル５００における下りリンクデフォルトキャリアバンドパートにおける制御リソースセットにおいて、サービングセル５００に対する第２の上りリンクＤＣＩフォーマットが検出された場合、下りリンクアクティブキャリアバンドパートを変更しなくてもよい。
【０１４９】
ＴＤＤモードにおいて、サービングセル５００における下りリンクデフォルトキャリアバンドパートにおける制御リソースセットにおいて、サービングセル５００に対する第２の上りリンクＤＣＩフォーマットが検出された場合、下りリンクアクティブキャリアバンドパートを変更しなくてもよい。
【０１５０】
サービングセル５００におけるキャリアバンドパート５１２における制御リソースセットにおいて、サービングセル５００に対する第１の下りリンクＤＣＩフォーマットが検出された場合、該第１の下りリンクＤＣＩフォーマットに含まれるＣＢＰ指示情報フィールドに少なくとも基づきサービングセル５００におけるキャリアバンドパート５１３が下りリンクアクティブキャリアバンドパートに設定されてもよい。該キャリアバンドパート５１３は、ＣＢＰ指示情報フィールドにより示されるキャリアバンドパートであってもよい。該第１の下りリンクＤＣＩフォーマットに含まれるリソース割り当て情報フィールドは、周波数領域において該キャリアバンドパート５１３に含まれるリソースブロックのうち、どのリソースブロックのセットに該ＰＤＳＣＨがマップされるかを示してもよい。該第１の下りリンクＤＣＩフォーマットに含まれる該リソース割り当て情報フィールドのサイズは、周波数領域において該キャリアバンドパート５１３に含まれるリソースブロックの数に少なくとも基づき与えられてもよい。該リソース割り当て情報フィールドのサイズは、あるサービングセルにおける１または複数の下りリンクキャリアバンドパートのそれぞれに対するリソース割り当て情報フィールドのサイズの計算値の最大値に設定されてもよい。該リソース割り当て情報フィールドのサイズは、周波数領域において、該あるサービングセルにおける１または複数の下りリンクキャリアバンドパートのそれぞれに含まれるＲＢＧの最大数に基づいて設定されてもよい。すなわち、該リソース割り当て情報フィールドのサイズを計算するためのＮＲＢＧ＿ＣＢＰは、周波数領域において、該あるサービングセルに設定される１または複数の下りリンクキャリアバンドパートのそれぞれに含まれるＲＢＧの数の最大値であってもよい。該リソース割り当て情報フィールドのサイズは、周波数領域において、該あるサービングセルに設定される１または複数の下りリンクキャリアバンドパートのそれぞれに含まれるリソースブロックの数の最大値に基づいて設定されてもよい。すなわち、該リソース割り当て情報フィールドのサイズを計算するためのＮＲＢ＿ＣＢＰは、周波数領域において、該あるサービングセルに設定される１または複数の下りリンクキャリアバンドパートのそれぞれに含まれるリソースブロックの数の最大値であってもよい。１または複数の下りリンクキャリアバンドパートのそれぞれに対して、ＲＢＧサイズＮＲＢＧが設定されてもよい。該第１の下りリンクＤＣＩフォーマットに含まれる該リソース割り当て情報フィールドのサイズは、専用ＲＲＣシグナリングに少なくとも基づき与えられてもよい。
【０１５１】
ＦＤＤモードにおいて、サービングセル５００におけるキャリアバンドパート５１２における制御リソースセットにおいて、サービングセル５００に対する第１の上りリンクＤＣＩフォーマットが検出された場合、下りリンクアクティブキャリアバンドパートを変更しなくてもよい。
【０１５２】
ＴＤＤモードにおいて、サービングセル５００におけるキャリアバンドパート５１２における制御リソースセットにおいて、サービングセル５００に対する第１の上りリンクＤＣＩフォーマットが検出された場合、下りリンクアクティブキャリアバンドパートを変更しなくてもよい。
【０１５３】
サービングセル５００におけるキャリアバンドパート５１２における制御リソースセットにおいて、サービングセル５００に対する第２の下りリンクＤＣＩフォーマットが検出された場合、下りリンクデフォルトキャリアバンドパートが下りリンクアクティブキャリアバンドパートに設定されてもよい。該第２の下りリンクＤＣＩフォーマットに含まれるリソース割り当て情報フィールドは、該下りリンクデフォルトキャリアバンドパートに含まれるリソースブロックのうち、どのリソースブロックのセットに該ＰＤＳＣＨがマップされるかを示してもよい。該第２の下りリンクＤＣＩフォーマットに含まれる該リソース割り当て情報フィールドのサイズは、該下りリンクデフォルトキャリアバンドパートに含まれるＲＢＧの数に少なくとも基づき与えられてもよい。該第２の下りリンクＤＣＩフォーマットに含まれる該リソース割り当て情報フィールドのサイズは、該下りリンクデフォルトキャリアバンドパートに含まれるリソースブロックの数に少なくとも基づき与えられてもよい。
【０１５４】
ＦＤＤモードにおいて、サービングセル５００におけるキャリアバンドパート５１２における制御リソースセットにおいて、サービングセル５００に対する第２の上りリンクＤＣＩフォーマットが検出された場合、下りリンクアクティブキャリアバンドパートを変更しなくてもよい。
【０１５５】
ＴＤＤモードにおいて、サービングセル５００におけるキャリアバンドパート５１２における制御リソースセットにおいて、サービングセル５００に対する第２の上りリンクＤＣＩフォーマットが検出された場合、下りリンクアクティブキャリアバンドパートを変更しなくてもよい。
【０１５６】
下りリンクデフォルトキャリアバンドパートに含まれるリソースブロックの数は、下りリンクデフォルトキャリアバンドパートにおけるＰＤＣＣＨとＰＤＳＣＨのサブキャリア間隔、および、下りリンクデフォルトキャリアバンドパートの帯域幅に少なくとも基づいて与えられてもよい。下りリンクデフォルトキャリアバンドパートにおけるＰＤＣＣＨとＰＤＳＣＨのサブキャリア間隔は、下りリンクデフォルトキャリアバンドパートに対するサブキャリア間隔の設定μに少なくとも基づいて与えられてもよい。下りリンクデフォルトキャリアバンドパートの帯域幅は、下りリンクデフォルトキャリアバンドパートの周波数／中心周波数、下りリンクデフォルトキャリアバンドパートが属するバンド、共通ＲＲＣシグナリング、および、専用ＲＲＣシグナリングの一部、または、全部に少なくとも基づいて与えられてもよい。
【０１５７】
下りリンクデフォルトキャリアバンドパートに含まれるリソースブロックの数は、下りリンク初期活性化キャリアバンドパートにおけるＰＤＣＣＨとＰＤＳＣＨのサブキャリア間隔、および、下りリンク初期活性化キャリアバンドパートの帯域幅と同じであってもよい。下りリンクデフォルトキャリアバンドパートにおけるＰＤＣＣＨとＰＤＳＣＨのサブキャリア間隔は、下りリンク初期活性化キャリアバンドパートに対するサブキャリア間隔の設定μと同じであってもよい。下りリンクデフォルトキャリアバンドパートの帯域幅は、下りリンク初期活性化キャリアバンドパートの周波数／中心周波数、下りリンク初期活性化キャリアバンドパートが属するバンド、共通ＲＲＣシグナリング、および、専用ＲＲＣシグナリングの一部、または、全部に少なくとも基づいて与えられてもよい。
【０１５８】
リソース割り当て情報フィールドは、キャリアバンドパートに関連するリソースオフセット値Ｎｏｆｆｓｅｔ＿ＣＢＰに少なくとも基づき、該キャリアバンドパートに含まれるリソースブロックを特定してもよい。キャリアバンドパートに関連するリソースオフセット値Ｎｏｆｆｓｅｔ＿ＣＢＰは、リソースブロックインデックスの参照地点からリソースオフセット値Ｎｏｆｆｓｅｔ＿ＣＢＰだけオフセットされた地点を、該キャリアバンドパートのためのリソースブロックインデックスの参照地点とすることを示す。
【０１５９】
リソースブロックインデックスの参照地点は、下りリンク初期活性化キャリアバンドパートのためのリソースブロックインデックスの参照地点と等しくてもよい。つまり、下りリンク初期活性化キャリアバンドパートに関連するリソースオフセット値Ｎｏｆｆｓｅｔ＿ＣＢＰは、０であってもよい。第１の下りリンクキャリアバンドパートに関連するリソースオフセット値Ｎｏｆｆｓｅｔ＿ＣＢＰは、第１のシステム情報に少なくとも基づき与えられてもよい。下りリンクデフォルトキャリアバンドパートに関連するリソースオフセット値Ｎｏｆｆｓｅｔ＿ＣＢＰは、専用ＲＲＣシグナリングに少なくとも基づき与えられてもよい。第２の下りリンクキャリアバンドパートに関連するリソースオフセット値Ｎｏｆｆｓｅｔ＿ＣＢＰは、専用ＲＲＣシグナリングに少なくとも基づき与えられてもよい。
【０１６０】
図９は、本実施形態の一態様に係るリソースブロックの割り当て方法の一例を示す図である。図９において、リソース割り当て情報フィールドにより示される、ＰＤＳＣＨがマップされるリソースブロックの割り当てパターン（Ｒｅｓｏｕｒｃｅ  ｂｌｏｃｋ  ｍａｐｐｉｎｇ  ｐａｔｔｅｒｎ）が図９（ａ）のように与えられることを仮定する。また、キャリアバンドパート＃０（ＣＢＰ＃０）に関連するリソースオフセット値Ｎｏｆｆｓｅｔ＿ＣＢＰが０であることを仮定する。また、キャリアバンドパート＃１（ＣＢＰ＃１）に関連するリソースオフセット値Ｎｏｆｆｓｅｔ＿ＣＢＰが１０であることを仮定する。また、キャリアバンドパート＃２（ＣＢＰ＃２）に関連するリソースオフセット値Ｎｏｆｆｓｅｔ＿ＣＢＰが５であると仮定する。また、リソースブロックインデックスの参照地点はリソースブロック＃０である。
【０１６１】
図９において、斜線で示されるリソースブロックにＰＤＳＣＨがマップされる。また、格子線で示されるリソースブロックは、それぞれのキャリアバンドパートに関連するリソースブロックインデックスの参照地点である。キャリアバンドパート＃０に関連するリソースオフセット値Ｎｏｆｆｓｅｔ＿ＣＢＰが０であるため、ＰＤＳＣＨリソースブロックインデックス＃２、＃３、＃６、＃７、＃８、および、＃９にマップされる。キャリアバンドパート＃１に関連するリソースオフセット値Ｎｏｆｆｓｅｔ＿ＣＢＰが１０であるため、ＰＤＳＣＨリソースブロックインデックス＃１２、＃１３、＃１６、＃１７、＃１８、および、＃１９にマップされる。キャリアバンドパート＃２に関連するリソースオフセット値Ｎｏｆｆｓｅｔ＿ＣＢＰが５であるため、ＰＤＳＣＨリソースブロックインデックス＃７、＃８、＃１１、＃１２、＃１３、および、＃１４にマップされる。
【０１６２】
つまり、リソース割り当て情報フィールドにより示される、ＰＤＳＣＨがマップされるリソースブロックのセットは、該リソース割り当て情報フィールドの値と、キャリアバンドパートに関連するリソースオフセット値Ｎｏｆｆｓｅｔ＿ＣＢＰに少なくとも基づき与えられてもよい。ここで、該キャリアバンドパートは、該ＰＤＳＣＨがマップされるキャリアバンドパートであってもよい。リソース割り当て情報フィールドにより示されるＰＤＳＣＨがマップされるリソースブロックのセットは、該リソース割り当て情報フィールドの値と、該ＰＤＳＣＨがマップされるキャリアバンドパートに関連するリソースオフセット値Ｎｏｆｆｓｅｔ＿ＣＢＰに少なくとも基づき与えられてもよい。
【０１６３】
サービングセル５００に対する第１のＤＣＩフォーマットを検出した場合の下りリンクキャリアバンドパートに関連するリソースオフセット値Ｎｏｆｆｓｅｔ＿ＣＢＰ＿１と、該サービングセル５００に対する第２のＤＣＩフォーマットを検出した場合の該下りリンクキャリアバンドパートに関連するリソースオフセット値Ｎｏｆｆｓｅｔ＿ＣＢＰ＿２は異なってもよい。該リソースオフセット値Ｎｏｆｆｓｅｔ＿ＣＢＰ＿１と該リソースオフセット値Ｎｏｆｆｓｅｔ＿ＣＢＰ＿２は、それぞれ専用ＲＲＣシグナリングに少なくとも基づき与えられてもよい。
【０１６４】
以下、本実施形態の一態様に係る端末装置１の構成例を説明する。
【０１６５】
図１０は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Ｒａｄｉｏ  Ｆｒｅｑｕｅｎｃｙ）部１２、および、ベースバンド部１３の一部または全部を少なくとも含んで構成される。上位層処理部１４は、媒体アクセス制御層処理部１５、および、無線リソース制御層処理部１６の一部または全部を少なくとも含んで構成される。無線送受信部１０を送信部、受信部、または、物理層処理部とも称する。
【０１６６】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、ＲＲＣ層の処理を行なう。
【０１６７】
上位層処理部１４が備える媒体アクセス制御層処理部１５は、ＭＡＣ層の処理を行う。
【０１６８】
上位層処理部１４が備える無線リソース制御層処理部１６は、ＲＲＣ層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。該パラメータは上位層のパラメータであってもよい。
【０１６９】
無線送受信部１０は、変調、復調、符号化、復号化などの物理層の処理を行う。無線送受信部１０は、受信した物理信号を、分離、復調、復号し、復号した情報を上位層処理部１４に出力する。無線送受信部１０は、データを変調、符号化、ベースバンド信号生成（時間連続信号への変換）することによって物理信号を生成し、基地局装置３に送信する。
【０１７０】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【０１７１】
ベースバンド部１３は、ＲＦ部１２から入力されたアナログ信号をディジタル信号に変換する。ベースバンド部１３は、変換したディジタル信号からＣＰ（Ｃｙｃｌｉｃ  Ｐｒｅｆｉｘ）に相当する部分を除去し、ＣＰを除去した信号に対して高速フーリエ変換（ＦＦＴ：Ｆａｓｔ  Ｆｏｕｒｉｅｒ  Ｔｒａｎｓｆｏｒｍ）を行い、周波数領域の信号を抽出する。
【０１７２】
ベースバンド部１３は、データを逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）して、ＯＦＤＭシンボルを生成し、生成されたＯＦＤＭシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１７３】
ＲＦ部１２は、ローパスフィルタを用いてベースバンド部１３から入力されたアナログ信号から余分な周波数成分を除去し、アナログ信号を搬送波周波数にアップコンバート（ｕｐ  ｃｏｎｖｅｒｔ）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１７４】
以下、本実施形態の一態様に係る基地局装置３の構成例を説明する。
【０１７５】
図１１は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１７６】
上位層処理部３４は、ＭＡＣ層、ＰＤＣＰ層、ＲＬＣ層、ＲＲＣ層の処理を行なう。
【０１７７】
上位層処理部３４が備える媒体アクセス制御層処理部３５は、ＭＡＣ層の処理を行う。
【０１７８】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１７９】
無線送受信部３０の機能は、無線送受信部１０と同様であるため説明を省略する。
【０１８０】
端末装置１が備える符号１０から符号１６が付された部のそれぞれは、回路として構成されてもよい。基地局装置３が備える符号３０から符号３６が付された部のそれぞれは、回路として構成されてもよい。
【０１８１】
以下、本実施形態の一態様に係る種々の装置の態様を説明する。
【０１８２】
（１）上記の目的を達成するために、本発明の態様は、以下のような手段を講じた。すなわち、本発明の第１の態様は、端末装置であって、リソース割り当て情報フィールドを少なくとも含むＤＣＩフォーマットを受信し、前記リソース割り当て情報フィールドに基づきＰＤＳＣＨを受信する受信部を備え、前記リソース割り当て情報フィールドは、周波数領域においてキャリアバンドパートに含まれるリソースブロックのうち、どのリソースブロックのセットに前記ＰＤＳＣＨがマップされるかを示し、前記ＤＣＩフォーマットが、複数のキャリアバンドパートのうち、前記ＰＤＳＣＨがスケジューリングされるキャリアバンドパートを示すＣＢＰ指示情報フィールドを含む第１のＤＣＩフォーマットである場合、前記リソース割り当て情報フィールドは、周波数領域において前記ＣＢＰ指示情報フィールドによって示される前記キャリアバンドパートに含まれるリソースブロックのうち、前記ＰＤＳＣＨがマップされるリソースブロックのセットを示し、前記ＤＣＩフォーマットが、前記ＣＢＰ指示情報フィールドを含まない第２のＤＣＩフォーマットである場合、前記リソース割り当て情報フィールドは、デフォルトキャリアバンドパートに含まれるリソースブロックのうち、前記ＰＤＳＣＨがマップされるリソースブロックのセットを示す。
【０１８３】
（２）また、本発明の第１の態様において、前記第１のＤＣＩフォーマットに含まれるフィールドの少なくとも一部は、第１の専用ＲＲＣシグナリングに少なくとも基づき設定され、前記第２のＤＣＩフォーマットに含まれるフィールドは、前記第１の専用ＲＲＣシグナリングに関わらず設定される。
【０１８４】
（３）また、本発明の第１の態様において、前記デフォルトキャリアバンドパートの設定に関する情報を含む第２の専用ＲＲＣシグナリングを受信した場合、前記デフォルトキャリアバンドパートは前記第２の専用ＲＲＣシグナリングに基づき与えられ、前記第２の専用ＲＲＣシグナリングを受信しない場合、初期活性化キャリアバンドパートが前記デフォルトキャリアバンドパートに設定され、前記初期活性化キャリアバンドパートは、第１のシステム情報のスケジューリングに用いられるＰＤＣＣＨをモニタするために少なくとも用いられる。
【０１８５】
（４）また、本発明の第１の態様において、前記ＤＣＩフォーマットが前記第１のＤＣＩフォーマットである場合、前記リソース割り当て情報フィールドのサイズは、前記複数のキャリアバンドパートのそれぞれのために設定されるＲＢＧの数の最大値に対応し、前記ＤＣＩフォーマットが前記第２のＤＣＩフォーマットである場合、前記リソース割り当て情報フィールドのサイズは、前記デフォルトキャリアバンドパートのために設定されるＲＢＧの数に対応する。
【０１８６】
（５）また、本発明の第２の態様は、基地局装置であって、リソース割り当て情報フィールドを少なくとも含むＤＣＩフォーマットと、前記ＤＣＩフォーマットに対応するＰＤＳＣＨを送信する送信部を備え、前記リソース割り当て情報フィールドは、周波数領域においてキャリアバンドパートに含まれるリソースブロックのうち、どのリソースブロックのセットに前記ＰＤＳＣＨがマップされるかを示し、前記ＤＣＩフォーマットが、複数のキャリアバンドパートのうち、前記ＰＤＳＣＨがスケジューリングされるキャリアバンドパートを示すＣＢＰ指示情報フィールドを含む第１のＤＣＩフォーマットである場合、前記リソース割り当て情報フィールドは、周波数領域において前記ＣＢＰ指示情報フィールドによって示される前記キャリアバンドパートに含まれるリソースブロックのうち、前記ＰＤＳＣＨがマップされるリソースブロックのセットを示し、前記ＤＣＩフォーマットが、前記ＣＢＰ指示情報フィールドを含まない第２のＤＣＩフォーマットである場合、前記リソース割り当て情報フィールドは、デフォルトキャリアバンドパートに含まれるリソースブロックのうち、前記ＰＤＳＣＨがマップされるリソースブロックのセットを示す。
【０１８７】
（６）また、本発明の第２の態様において、前記第１のＤＣＩフォーマットに含まれるフィールドの少なくとも一部は、第１の専用ＲＲＣシグナリングに少なくとも基づき設定され、前記第２のＤＣＩフォーマットに含まれるフィールドは、前記第１の専用ＲＲＣシグナリングに関わらず設定される。
【０１８８】
（７）また、本発明の第２の態様において、前記ＤＣＩフォーマットが前記第１のＤＣＩフォーマットである場合、前記リソース割り当て情報フィールドのサイズは、前記複数のキャリアバンドパートのそれぞれのために設定されるＲＢＧの数の最大値に対応し、前記ＤＣＩフォーマットが前記第２のＤＣＩフォーマットである場合、前記リソース割り当て情報フィールドのサイズは、前記デフォルトキャリアバンドパートのために設定されるＲＢＧの数に対応する。
【０１８９】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（ReadOnly Memory)などの各種ＲＯＭやＨＤＤ（Hard Disk Drive）に格納され、必要に応じてＣＰＵによって読み出し、修正・書き込みが行われる。
【０１９０】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１９１】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１９２】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１９３】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１９４】
また、上述した実施形態における基地局装置３は、ＥＵＴＲＡＮ（Evolved UniversalTerrestrial Radio Access Network）および／またはＮＧ−ＲＡＮ（NextGen RAN,NR RAN）であってもよい。また、上述した実施形態における基地局装置３は、ｅＮｏｄｅＢおよび／またはｇＮＢに対する上位ノードの機能の一部または全部を有してもよい。
【０１９５】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１９６】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１９７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１９８】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
５００  サービングセル
５１１、５１２、５１３  キャリアバンドパート
５０１、５０２、５０３、５０４、５０５、５０６  リソースブロックインデックス
５２１、５２３、５２５、５２７  ＰＤＣＣＨ
５２２、５２４、５２６  ＰＤＳＣＨ
５３１、５３２  タイマー
【図１】
2019087799.tif 000004
【図２】
2019087799.tif 000005
【図３】
2019087799.tif 000006
【図４】
2019087799.tif 000007
【図５】
2019087799.tif 000008
【図６】
2019087799.tif 000009
【図７】
2019087799.tif 000010
【図８】
2019087799.tif 000011
【図９】
2019087799.tif 000012
【図１０】
2019087799.tif 000013
【図１１】
2019087799.tif 000014